(57)【要約】【解決手段】  実施形態は、干渉環境中で少なくとも１つの移動局と通信することが可能な１または複数のネットワーク・コンポーネントを有する無線通信システムを含んでいる。送信器は、移動局が動作可能な通信モードのセットをインジケートするデータとこのセットのうちの少なくとも１つの通信モードのための干渉波除去能力のインジケーションを送信することが可能である。インジケートするデータは受信器によって受信されることが可能である。リソース割り当て器はネットワーク・コンポーネント（例えばネットワーク装置と移動局）間の接続の間の使用のためのインジケートするデータに基づいてシステム・リソースを割り当てることが可能である。システム・リソースの割り当ては、接続の通信モード、接続の通信モードのための移動局の干渉波除去能力のインジケーション、および／または接続の間の予測される干渉環境に完全にまたは部分的に依存することが可能である。【選択図】      図４
2013536662.tif 000002
【特許請求の範囲】
【請求項１】
干渉環境中でネットワーク装置が少なくとも１つの移動局と通信する無線通信システムであって、
前記少なくとも１つの移動局のために前記移動局が動作可能な通信モードのセットをインジケートするデータと前記セットのうちの少なくとも１つの通信モードのための干渉波除去能力のインジケーションとを送信するための送信器と、
前記インジケートするデータを受信するための受信器と、
前記受信器に結合され、かつ前記受信されたインジケートするデータに応答して前記ネットワーク装置と前記少なくとも１つの移動局との間の接続の間の使用のためのシステム・リソースを割り当てるリソース割り当て器であって、前記システム・リソースを割り当てることは、前記接続の前記通信モード、前記接続の前記通信モードのための前記移動局の干渉波除去能力の前記インジケーション、および前記接続の間の予測される干渉環境に依存する、リソース割り当て器と、
を具備する無線通信システム。
【請求項２】
前記リソース割り当て器が、前記予測される干渉環境が不利でかつ前記接続の前記通信モードのための前記移動局の前記インジケートされた干渉波除去能力が前記不利な干渉環境に適している場合、前記接続の間の使用のための前記システム・リソースを割り当てるように構成されている、
請求項１の無線通信システム。
【請求項３】
前記リソース割り当て器が、前記予測される干渉環境が不利でかつ前記接続の前記通信モードのための前記移動局の前記インジケートされた干渉波除去能力が前記不利な干渉環境に適していない場合、前記接続の間の使用のためのシステム・リソースを割り当てないように構成されている、
請求項２の無線通信システム。
【請求項４】
前記干渉波除去能力のインジケーションが、前記少なくとも１つの通信モードのうちの各モードのための前記干渉波除去能力を協働でインジケートする役目をする情報の複数のビットを具備する、
請求項１乃至３のいずれか１項の無線通信システム。
【請求項５】
前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
請求項１乃至３のいずれか１項の無線通信システム。
【請求項６】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項１乃至５のいずれか１項の無線通信システム。
【請求項７】
前記通信モードのセットが、ＧＭＳＫ、ＱＰＳＫ、８ＰＳＫ、１６ＱＡＭ、および３２ＱＡＭの少なくとも１つを具備する、
請求項１乃至５のいずれか１項の無線通信システム。
【請求項８】
前記少なくとも１つの移動局が、前記送信器を具備する、
請求項１乃至７のいずれか１項の無線通信システム。
【請求項９】
前記干渉波除去能力が、下りリンク高度受信器性能フェーズ３干渉波除去能力に準拠している、
請求項１乃至８のいずれか１項の無線通信システム。
【請求項１０】
干渉環境中で少なくとも１つの移動局と通信している、無線通信システム中での使用のためのネットワーク装置であって、
前記少なくとも１つの移動局のために前記移動局が動作可能な通信モードのセットをインジケートするデータと前記セットのうちの少なくとも１つの通信モードのための干渉波除去能力のインジケーションとを受信するための受信器と、
前記受信器に結合され、かつ前記受信されたインジケートするデータに応答して前記ネットワーク装置と前記少なくとも１つの移動局との間の接続の間の使用のためのシステム・リソースを割り当てるリソース割り当て器であって、前記システム・リソースを割り当てることは、前記接続の前記通信モード、前記接続の前記通信モードのための前記移動局の干渉波除去能力の前記インジケーション、および前記接続の間の予測される干渉環境に依存する、リソース割り当て器と、
を具備するネットワーク装置。
【請求項１１】
前記リソース割り当て器が、前記予測される干渉環境が不利でかつ前記接続の前記通信モードのための前記移動局の前記インジケートされた干渉波除去能力が前記不利な干渉環境に適している場合、前記接続の間の使用のための前記システム・リソースを割り当てるように構成されている、
請求項１０のネットワーク装置。
【請求項１２】
前記リソース割り当て器が、前記予測される干渉環境が不利でかつ前記接続の前記通信モードのための前記移動局の前記インジケートされた干渉波除去能力が前記不利な干渉環境に適していない場合、前記接続の間の使用のためのシステム・リソースを割り当てないように構成されている、
請求項１１のネットワーク装置。
【請求項１３】
前記干渉波除去能力のインジケーションが、前記少なくとも１つの通信モードのうちの各モードのための前記干渉波除去能力を協働でインジケートする役目をする情報の複数のビットを具備する、
請求項１０乃至１２のいずれか１項のネットワーク装置。
【請求項１４】
前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
請求項１０乃至１２のいずれか１項のネットワーク装置。
【請求項１５】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項１０乃至１４のいずれか１項のネットワーク装置。
【請求項１６】
前記通信モードのセットが、ＧＭＳＫ、ＱＰＳＫ、８ＰＳＫ、１６ＱＡＭ、および３２ＱＡＭの少なくとも１つを具備する、
請求項１０乃至１４のいずれか１項のネットワーク装置。
【請求項１７】
前記干渉波除去能力が、下りリンク高度受信器性能フェーズ３干渉波除去能力に準拠している、
請求項１０乃至１６のいずれか１項のネットワーク装置。
【請求項１８】
干渉環境中でネットワーク装置が移動局と通信する無線通信システム中での使用のための前記移動局であって、
前記移動局が動作可能な通信モードのセットをインジケートするデータと前記セットのうちの少なくとも１つの通信モードのための干渉波除去能力のインジケーションとを送信するための送信器、
を具備する移動局。
【請求項１９】
前記干渉波除去能力のインジケーションが、前記少なくとも１つの通信モードのうちの各モードのための前記干渉波除去能力を協働でインジケートする役目をする情報の複数のビットを具備する、
請求項１８の移動局。
【請求項２０】
前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
請求項１８または１９の移動局。
【請求項２１】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項１８乃至２０のいずれか１項の移動局。
【請求項２２】
前記通信モードのセットが、ＧＭＳＫ、ＱＰＳＫ、８ＰＳＫ、１６ＱＡＭ、および３２ＱＡＭの少なくとも１つを具備する、
請求項１８乃至２０のいずれか１項の移動局。
【請求項２３】
前記干渉波除去能力が、下りリンク高度受信器性能フェーズ３干渉波除去能力に準拠している、
請求項１８乃至２２のいずれか１項の移動局。
【請求項２４】
干渉環境中でネットワーク装置が少なくとも１つの移動局と通信する無線通信システム中での使用のためのシステム・リソースを割り当てる方法であって、
前記少なくとも１つの移動局のために前記移動局が動作可能な通信モードのセットをインジケートするデータと前記セットのうちの少なくとも１つの通信モードのための干渉波除去能力のインジケーションとを送信することと、
前記インジケートするデータを受信することと、
前記受信されたインジケートするデータに応答して前記ネットワーク装置と前記少なくとも１つの移動局との間の接続の間の使用のためのシステム・リソースを割り当てることであって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てることと、
を具備する方法。
【請求項２５】
干渉環境中でネットワーク装置が少なくとも１つの移動局と通信する無線通信システム中での使用のための前記ネットワーク装置であって、
プロセッサと、
前記プロセッサと電気的に通信しているメモリと、
前記メモリに格納され、
前記少なくとも１つの移動局のために前記移動局が動作可能な通信モードのセットをインジケートするデータと前記セットのうちの少なくとも１つの通信モードのための干渉波除去能力のインジケーションとを受信し、
前記受信されたインジケートするデータに応答して前記ネットワーク装置と前記少なくとも１つの移動局との間の接続の間の使用のためのシステム・リソースを割り当てることであって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てる、
ために前記プロセッサによって実行可能な命令と、
を具備するネットワーク装置。
【請求項２６】
干渉環境中でネットワーク装置が少なくとも１つの移動局と通信する無線通信システムの前記ネットワーク装置中での使用のためのコンピュータ・プログラム製品であって、
コンピュータに、受信されたインジケートするデータに応答して接続の間の使用のためのシステム・リソースを割り当てさせるコードを具備するコンピュータ可読媒体であって、前記コードは、
前記少なくとも１つの移動局のために前記移動局が動作可能な通信モードのセットをインジケートするデータと前記セットのうちの少なくとも１つの通信モードのための干渉波除去能力のインジケーションとを受信し、
前記受信されたインジケートするデータに応答して前記ネットワーク装置と前記少なくとも１つの移動局との間の接続の間の使用のためのシステム・リソースを割り当てることであって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てる、
ための命令を具備するコンピュータ可読媒体、
を具備する、コンピュータ・プログラム製品。
【請求項２７】
干渉環境中でネットワーク装置が移動局と通信する無線通信システム中での使用のための前記移動局であって、
プロセッサと、
前記プロセッサと電気的に通信しているメモリと、
前記メモリに格納され、前記移動局が動作可能な通信モードのセットをインジケートするデータと前記セットのうちの少なくとも１つの通信モードのための干渉波除去能力のインジケーションとを送信するために前記プロセッサによって実行可能な命令と、
を具備する移動局。
【請求項２８】
干渉環境中でネットワーク装置が移動局と通信する無線通信の前記移動局中での使用のためのコンピュータ・プログラム製品であって、
インジケートするデータをコンピュータに送信させるためのコードを具備し、前記コードは、前記移動局が動作可能な通信モードのセットと前記セットのうちの少なくとも１つの通信モードのための干渉波除去能力のインジケーションとを送信するための命令を具備する、コンピュータ可読媒体、
を具備するコンピュータ・プログラム製品。
【請求項２９】
干渉環境中で少なくとも１つの移動局と通信するための、無線通信システム中での使用のためのネットワーク装置であって、
前記少なくとも１つの移動局のために前記移動局が動作可能な通信モードのセットをインジケートするデータと前記セットのうちの少なくとも１つの通信モードのための干渉波除去能力のインジケーションとを受信するための手段と、
前記受信されたインジケートするデータに応答して前記ネットワーク装置と前記少なくとも１つの移動局との間の接続の間の使用のためのシステム・リソースを割り当てるための手段であって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てるための手段と、
を具備するネットワーク装置。
【請求項３０】
前記割り当てるための手段が、前記予測される干渉環境が不利でかつ前記接続の前記通信モードのための前記移動局の前記インジケートされた干渉波除去能力が前記不利な干渉環境に適している場合、前記接続の間の使用のための前記システム・リソースを割り当てるように構成されている、
請求項２９のネットワーク装置。
【請求項３１】
前記割り当てるための手段が、前記予測される干渉環境が不利でかつ前記接続の前記通信モードのための前記移動局の前記インジケートされた干渉波除去能力が前記不利な干渉環境に適していない場合、前記接続の間の使用のためのシステム・リソースを割り当てないように構成されている、
請求項３０のネットワーク装置。
【請求項３２】
前記干渉波除去能力のインジケーションが、前記少なくとも１つの通信モードのうちの各モードのための前記干渉波除去能力を協働でインジケートする役目をする情報の複数のビットを具備する、
請求項２９乃至３１のいずれか１項のネットワーク装置。
【請求項３３】
前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
請求項２９乃至３１のいずれか１項のネットワーク装置。
【請求項３４】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項２９乃至３３のいずれか１項のネットワーク装置。
【請求項３５】
前記通信モードのセットが、ＧＭＳＫ、ＱＰＳＫ、８ＰＳＫ、１６ＱＡＭ、および３２ＱＡＭの少なくとも１つを具備する、
請求項２９乃至３３のいずれか１項のネットワーク装置。
【請求項３６】
前記干渉波除去能力が、下りリンク高度受信器性能フェーズ３干渉波除去能力に準拠している、
請求項２９乃至３５のいずれか１項のネットワーク装置。
【請求項３７】
干渉環境中でネットワーク装置が移動局と通信する無線通信システム中での使用のための前記移動局であって、
前記移動局が動作可能な通信モードのセットをインジケートするデータと前記セットのうちの少なくとも１つの通信モードのための干渉波除去能力のインジケーションとを送信するための手段、
を具備する移動局。
【請求項３８】
前記干渉波除去能力のインジケーションが、前記少なくとも１つの通信モードのうちの各モードのための前記干渉波除去能力を協働でインジケートする役目をする情報の複数のビットを具備する、
請求項３７の移動局。
【請求項３９】
前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
請求項３７または３８の移動局。
【請求項４０】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項３７乃至３９のいずれか１項の移動局。
【請求項４１】
前記通信モードのセットが、ＧＭＳＫ、ＱＰＳＫ、８ＰＳＫ、１６ＱＡＭ、および３２ＱＡＭの少なくとも１つを具備する、
請求項３７乃至３９のいずれか１項の移動局。
【請求項４２】
前記干渉波除去能力が、下りリンク高度受信器性能フェーズ３干渉波除去能力に準拠している、
請求項３７乃至４１のいずれか１項の移動局。
【請求項４３】
少なくとも１つの別の通信コンポーネントと通信するように構成されている複数の通信コンポーネントを具備する通信ネットワーク中の通信装置であって、
前記通信装置が動作可能な通信モードのセットを割り出し、少なくとも１つの通信モードのための干渉波除去能力のインジケーションを割り出すように構成されているプロセッサと、
前記通信ネットワーク中の少なくとも１つの別の通信コンポーネントに前記通信モードのセットまたは前記干渉波除去能力の少なくとも１つを通信するように構成されている送信器と、
を具備する装置。
【請求項４４】
前記通信モードのセットまたは前記干渉波除去能力の少なくとも１つを表すデータを具備する１または複数の信号を発するように構成された少なくとも１本のアンテナをさらに具備する、
請求項４３の通信装置。
【請求項４５】
前記干渉波除去能力が、ネットワーク通信内容中の干渉波を除去する前記通信装置の能力を表す、
請求項４３の通信装置。
【請求項４６】
前記通信装置において観察される実際の干渉波を測定するように構成されている干渉波測定モジュールをさらに具備する、
請求項４３の通信装置。
【請求項４７】
前記通信装置がモバイル通信装置または静止している通信装置の少なくとも１つである、
請求項４３の通信装置。
【請求項４８】
前記干渉波除去能力が、前記通信モードのセットについての干渉波許容量をインジケートすることが可能な１超のビットによって表される、
請求項４３の通信装置。
【請求項４９】
前記通信モードのセットまたは前記干渉波除去能力の少なくとも１つに基づいてネットワーク資源を割り当てるように構成されているリソース割り当て器モジュールをさらに具備する、
請求項４３の通信装置。
【請求項５０】
前記通信ネットワークは第２通信装置を含んでおり、
前記第２通信は、前記通信モードのセットまたは前記干渉波除去能力の少なくとも１つを前記通信装置から受信するように構成されかつそれに応答して、前記通信装置との通信を変えるべきかを評価するように構成されている、
請求項４３の通信装置。
【発明の詳細な説明】
【関連出願の相互参照および優先権の主張】
【０００１】
この出願は、２０１０年８月２７日に出願された米国仮出願番号６１／３７７，８８１の優先権および利益を要求する。その内容は、参照することにより本明細書に取り込まれる。
【技術分野】
【０００２】
本発明の実施形態は、広く無線通信システムに関し、特に干渉環境中の少なくとも１つの移動局と通信可能な１または複数のネットワーク装置を含んだ無線通信システムに関する。
【背景技術】
【０００３】
現在の無線通信システムでは、移動局（ＭＳ）が自身がサポートする通信モードのセットをネットワークに対してインジケートする（indicate、示す）ことが一般的である。例えば、グローバル移動体通信システム（ＧＳＭ（登録商標））通信規格をサポートするネットワークでは、移動局は、自身がＧＳＭフルレート音声、ＧＳＭハーフレート音声、ＧＰＲＳ、およびＥＤＧＥ通信モードをサポートすることをインジケートすることが可能である。移動局はまた、自身が高度の受信器能力を有するというインジケーション（indication）を送信し得る。例えば、移動局は、自身の受信器が下りリンク高度受信器性能（Downlink Advanced Receiver Performance、ＤＡＲＰ）フェーズ１および／またはＤＡＲＰフェーズ２能力を有することをインジケートし得る。これらは、各々、強化された干渉波除去能力である。ＤＡＲＰ能力を有する受信器は、ＤＡＲＰ能力を有しない受信器ができるのよりもはるかに高いレベルの干渉信号が存在する中で希望信号を受信および処理することが可能である。
【０００４】
ＤＡＲＰ能力のインジケーションは、参照番号ETSI TS 24.008 V9.3.0(2010-06)を有しかつ「Mobile Station Classmark 3」と題された章10.5.1.7中の「3rd Generation Partnership Project; Technical Specification Group Core Network and Terminals; Mobile radio interface Layer 3 specification; Core network protocols； Stage 3 (Release 9)」と題された公開されている仕様書において概説されている。ＤＡＲＰの実施の詳細は参照番号ETSI TS 145 015 V5.2.0(2007-05)を有しかつ「Digital cellular telecommunication system (Phase 2+); Release independent Downlink Advanced Receiver Performance (DARP); Implementation guidelines (3GPP TS 45.015 version 5.2.0 Release 5)」と題された仕様書に含まれている。
【０００５】
ＤＡＲＰ能力のインジケーションは、移動局によって送信され、無線通信システムのネットワーク装置によって受信される。ネットワーク装置は、ＤＡＲＰ能力のインジケーションを受信すると、このインジケーションを、移動局が自身がサポートすることをインジケートした通信モードのセットの全モードについて、インジケートされたＤＡＲＰ能力を移動局が有するものとして扱う。
【０００６】
自身がサポートすることをインジケートした全ての通信モードのためのＤＡＲＰ能力を有しない移動局は、自身がＤＡＲＰ能力を有することをインジケートしない。ネットワークは、その移動局を、それがどの通信モードについても高度な干渉波除去能力を有しないかのように扱う。ネットワークは、移動局が自身がサポートする全てはないがいくつかの通信モードについての高度干渉波除去能力を有する場合でも、このように移動局を扱う。したがって、ネットワークが、移動局がサポートする全てではないが一部の通信モードのための高度干渉波除去能力を有する移動局の高度干渉波除去能力を利用することを可能にするための手段を提供することが望ましい。そのような無線通信システムは増加した実際の通信容量を提供することが可能である。
【０００７】
ＤＡＲＰフェーズ３は、ＤＡＲＰフェーズ１および２仕様より厳格な高度受信器能力要件の提案された新仕様である。現在の移動局はＤＡＲＰフェーズ３能力を有しない。メーカーは、コストを理由に、全てではないがいくつかの通信モードのためのＤＡＲＰフェーズ３仕様に準拠する移動局を生成することを選択し得る。例えば、移動局は、自身が音声信号を受信している場合にはＤＡＲＰフェーズ３機能を有しつＥＤＧＥモードにおいてパケット・データを受信している場合にはＤＡＲＰフェーズ３能力を有するように構成され得る。したがって、移動局が自身がサポートする全てではないが一部の通信モードのためのＤＡＲＰフェーズ３能力を有する場合、移動局のＤＡＲＰフェーズ３能力を利用する改善されたた無線通信システムを提供することが望ましい。
【０００８】
この記述での移動局に対する言及が固定型でもモバイル型でもあり得る遠隔通信端末への言及として捉えられ得ることが理解されるべきである。
【発明の概要】
【０００９】
本発明のある実施形態は上記のおよび他の問題に対処するために提供されている。本発明の実施形態はネットワーク・コンポーネント、ネットワーク・コンポーネントによって使用される処理命令、またはその組合せとして実現され得る。また、本発明のいくつかの実施形態は、ネットワーク側ベース、オペレータ装置ベース、エンド・ユーザ装置、またはその組合せであり得る。本発明の例示的な実施形態は下に要約されているが、最大の範囲は下に提供されている様々な請求項によってカバーされている。
【００１０】
本願のある実施形態は、干渉環境中でネットワーク装置が少なくとも１つの移動局と通信する無線通信システムを含んでいることが可能である。システムは、広く、送信器、受信器、およびリソース割り当て器を具備することが可能である。送信器は、少なくとも１つの移動局のために移動局が動作可能な通信モードのセットをインジケートするためのデータ、およびセットのうちの少なくとも１つの通信モードのための干渉波除去能力のインジケーションを送信することが可能である。受信器はインジケートするデータを受信することが可能である。リソース割り当て器は受信器に結合され、受信されたインジケートするデータに応答することが可能である。これは、リソース割り当て器にネットワーク装置と少なくとも１つの移動局との間の接続の間にシステム・リソースを割り当てることを可能にする。システム・リソースの割り当ては、接続の通信モード、接続の通信モードのための移動局の干渉波除去能力のインジケーション、および接続の間の予測される干渉環境の１つまたは複数に依存し得る。
【００１１】
ある実施形態は、干渉環境中で少なくとも１つの移動局と通信している、無線通信システム中での使用のためのネットワーク装置を含んでいる。ネットワーク装置は、広く、受信器およびリソース割り当て器を具備することが可能である。受信器は、少なくとも１つの移動局のために移動局が動作可能な通信モードのセットをインジケートするデータ、およびセットのうちの少なくとも１つの通信モードのための干渉波除去能力のインジケーションを受信することが可能である。リソース割り当て器は受信器に結合され、受信されたインジケートするデータに応答することが可能である。これは、リソース割り当て器が、ネットワーク装置と少なくとも１つの移動局との間の接続の間の使用のためのシステム・リソースを割り当てることを可能にする。システム・リソースを割り当てることは、接続の通信モード、接続の通信モードのための移動局の干渉波除去能力のインジケーション、および接続の間の予測される干渉環境の１つまたは複数に依存し得る。
【００１２】
本発明の他の実施形態は、無線通信システム中での使用のための移動局を含むことが可能である。そのような実施形態では、ネットワーク装置は、干渉環境中で移動局と通信することが可能である。移動局は、広く、送信器を具備することが可能である。送信器は、移動局が動作可能な通信モードのセットをインジケートするデータとセットのうちの少なくとも１つの通信モードのための干渉波除去能力のインジケーションとを送信することが可能である。
【００１３】
いくつかの実施形態は無線通信システム中での使用のためのシステム・リソースを割り当てる方法を含むことが可能である。そのような構成では、ネットワーク装置は、干渉環境中で少なくとも１つの移動局と通信することが可能である。方法は、少なくとも１つの移動局のために移動局が動作可能な通信モードのセットをインジケートするデータとセットのうちの少なくとも１つの通信モードのための干渉波除去能力のインジケーションとを送信すること、およびインジケートするデータを受信することを具備することが可能である。方法はまた、ネットワーク装置と少なくとも１つの移動局との間の接続の間の使用のためのデータ・システム・リソースを割り当てることを含むことが可能である。割り当ては、受信されたインジケートするデータに基づき得る。例えば、システム・リソースの割り当ては、接続の通信モード、接続の通信モードのための移動局の干渉波除去能力のインジケーション、および接続の間の予測される干渉環境に依存し得る。
【００１４】
さらに他の実施形態は干渉環境中でネットワーク装置が少なくとも１つの移動局と通信する無線通信システムでの使用のためのネットワーク装置を含むことが可能である。ネットワーク装置は、広く、プロセッサおよびプロセッサと電気的に通信するメモリを具備し得る。命令がメモリに格納されることが可能であり、命令はプロセッサにより実行可能であり得る。命令はプロセッサに、少なくとも１つの移動局のために移動局が動作可能な通信モードのセットをインジケートするデータとセットのうちの少なくとも１つの通信モードのための干渉波除去能力のインジケーションとを受信するよう命ずることが可能である。命令はまた、プロセッサに、ネットワーク装置と少なくとも１つの移動局の間の接続の間の使用のためのデータ・システム・リソースを割り当てるよう命じ得る。割り当ては受信されたインジケートするデータに基づくことが可能である。また、システム・リソースを割り当てることは、接続の通信モード、接続の通信モードのための移動局の干渉波除去能力のインジケーション、および接続の間の予測される干渉環境に依存し得る。
【００１５】
いくつかの実施形態は干渉環境中でネットワーク装置が少なくとも１つの移動局と通信する無線通信システムのネットワーク装置での使用のためのコンピュータ・プログラム製品として実施されることが可能である。そのようなコンピュータ・プログラム製品は、コンピュータに、受信されたインジケートするデータに応答して接続の間の使用のためのシステム・リソースを割り当てさせるコードを具備するコンピュータ可読媒体を具備することが可能である。コードは、少なくとも１つの移動局のために移動局が動作可能な通信モードのセットをインジケートするデータ、およびセットのうちの少なくとも１つの通信モードのための干渉波除去能力のインジケーションを受信する命令を具備することが可能である。コードはまた、ネットワーク装置と少なくとも１つの移動局との間の接続の間の使用のためのデータ・システム・リソースを割り当てる命令を具備することが可能である。割り当ては、受信されたインジケートするデータに基づき得る。割り当てはまた、接続の通信モード、接続の通信モードのための移動局の干渉波除去能力のインジケーション、および接続の間の予測される干渉環境に基づき得る。
【００１６】
さらに他の実施形態は、干渉環境中でネットワーク装置が移動局と通信する無線通信システムでの使用のための移動局を含むことが可能である。移動局は１または複数のプロセッサ、および１または複数のプロセッサと電気的に通信しているメモリを具備することが可能である。処理命令はメモリに格納されることが可能である。命令は、プロセッサに、移動局が動作可能な通信モードのセットをインジケートするデータとセットのうちの少なくとも１つの通信モードのための干渉波除去能力のインジケーションとを送信することを命じることが可能である。
【００１７】
いくつかの実施形態は、ネットワーク装置が干渉環境中の移動局と通信する無線通信の移動局での使用のためのコンピュータ・プログラム製品を含むことが可能である。コンピュータ・プログラム製品は、コンピュータにインジケートするデータを送信させるためのコードを具備するコンピュータ可読媒体を具備することが可能である。コードは、移動局が動作可能な通信モードのセットをインジケートするためにインジケートするデータとセットのうちの少なくとも１つの通信モードのための干渉波除去能力のインジケーションとを送信するための命令を含むことが可能である。
【００１８】
さらに他の実施形態は、干渉環境中での少なくとも１つの移動局と通信するための、無線通信システムでの使用のためのネットワーク装置を含むことが可能である。ネットワーク装置は、少なくとも１つの移動局のために移動局が動作可能な通信モードのセットをインジケートするデータとセットのうちの少なくとも１つの通信モードための干渉波除去能力のインジケーションとを受信するための手段と、受信されたインジケートするデータに応答してネットワーク装置と少なくとも１つの移動局との間の接続の間の使用のためのシステム・リソースを割り当てるための手段と、を具備することが可能である。システム・リソースを割り当てることは、接続の通信モード、接続の通信モードのための移動局の干渉波除去能力のインジケーション、および接続の間の予測される干渉環境に依存する。
【００１９】
さらなる実施形態は、干渉環境中でネットワーク装置が移動局と通信する無線通信システム中でのしようのための移動局を含むことが可能である。移動局は、移動局が動作可能な通信モードのセットをインジケートするデータとセットのうちの少なくとも１つの通信モードのための干渉波除去能力のインジケーションとを送信するための手段を具備することが可能である。
【００２０】
また、本発明の実施形態は、少なくとも１つの別の通信コンポーネントと通信するように構成されている複数の通信コンポーネントを具備する通信ネットワークとともに使用されることが可能である。例えば、通信装置はプロセッサおよび送信器を具備することが可能である。プロセッサは、通信装置が動作可能な通信モードのセットを割り出し、少なくとも１つの通信モードのための干渉波除去能力のインジケーションを割り出すように構成されることが可能である。送信器は、通信ネットワーク中の少なくとも１つの別の通信コンポーネントに通信モードのセットまたは干渉波除去能力の少なくとも１つを通信するように構成されることが可能である。
【図面の簡単な説明】
【００２１】
【図１】本発明のいくつかの実施形態に従った無線通信システムの要素を例示する概略図である。
【図２】本発明のいくつかの実施形態に従った、図１の無線通信システムの送信器および受信器の概略図である。
【図３】本発明のいくつかの実施形態に従った、強化された干渉波除去能力を有する受信器を含んだトランシーバを例示する概略図である。
【図４】本発明のいくつかの実施形態に従った、ネットワーク装置、移動局、および送信器を具備する無線通信システムの概略図である。
【図５】本発明のいくつかの実施形態に従った、ネットワーク装置、移動局、および送信器を具備する別の無線通信システムの概略図である。
【図６】本発明のいくつかの実施形態に従った、接続の間にシステム・リソースを割り当てるための手順を例示するフローチャートである。
【発明を実施するための形態】
【００２２】
図１は、無線通信システム１００の要素を例示する概略図である。下にさらに記述されているように、システム１００は１または複数の他のネットワーク・コンポーネントと無線通信可能な様々なコンポーネントを含むことが可能である。したがって、コンポーネントの各々は、送信器、受信器、トランシーバ、回路、プロセッサ、コントローラ、処理命令、および無線通信を可能にする他の所望の要素の１つまたは複数を含むことが可能である。
【００２３】
無線通信システム１００において、送信データは複数の移動局１２３〜１２７が１つの基地局１１０、１１１、１１４と通信することを可能にするように多重化される。多元化技術の例は周波数分割多元接続（ＦＤＭＡ）、および時分割多元接続（ＴＤＭＡ）である。
【００２４】
周波数分割多元接続（ＦＤＭＡ）は、活性な接続が、各々下りリンク信号のための特定のチャネル周波数および上りリンク信号のための特定のチャネル周波数を有する特定の通信チャネル（物理チャンネル）を割り当てられる多元接続技術である。下りリンク信号は、ネットワークの基地局１１０、１１１、１１４によって送信され、移動局１２３〜１２７によって受信される。上りリンク信号は、移動局１２３〜１２７によって送信され、基地局１１０、１１１、１１４によって受信される。基地局１１０、１１１、１１４および移動局１２３〜１２７は各々、信号を受信および受信するためにそれぞれ使用される送信器および受信器を有する。
【００２５】
時分割多元接続（ＴＤＭＡ）は、一般にタイム・スロットと称される相違する時間間隔中に相違するユーザ（すなわち移動局１２３〜１２７）が通信リンクを使用することを可能にする多元接続技術である。そのようなタイム・スロットは、規則的なパターンで繰り返し得る。例えば、規則的に繰り返す連続８つのタイム・スロットがあり得る。
【００２６】
周波数分割二重化（ＦＤＤ）として知られている方式によれば、下りリンク信号および上りリンク信号のための周波数が相互に異なる。これは移動局１２３〜１２７または基地局１１０、１１１、１１４のいずれかにおいて送信された（被送信）信号と受信された（被受信）信号との間の干渉を最小にするために、また１つの通信装置（例えば移動局１２３〜１２７）による同時送受信を可能にするために行われる。
【００２７】
時分割二重化（ＴＤＤ）は、通信装置（例えば基地局１１０、１１１、１１４、または移動局１２３〜１２７）中の送信動作および受信動作が、相違する時刻で起こることを可能にするアクセス技術である。これは被送信信号による被受信信号への干渉を減じることが可能である。
【００２８】
システム１００は、さらなる機能を有し得る。例えば、無線通信システム１００は、ＴＤＭＡ、ＦＤＭＡ、ＦＤＤ、およびＴＤＤの上記の特徴を全て有することが可能である。また、システム１００はセルラ通信システムであることが可能である。セルラ通信システムでは、各セルは基地局１１０、１１１、１１４および少なくとも１つの移動局１２３〜１２７を有し、通信信号は相違するセル中の移動局１２３〜１２７間で基地局１１０、１１１、１１４によって中継されることが可能である。しかしながら、様々な多元接続方式、符号化技術、およびシステム構成が、本明細書において記述されているのとは別にまたはこれに対して付加的に使用され得ることが認識されるべきである。
【００２９】
無線通信システム１００は、基地局１１０、１１１、および１１４、基地局コントローラ１４１〜１４４、およびモバイル交換局１５１、１５２を具備するネットワークを含んでいる。無線通信システム１００はまた、無線リンク１５５を介して基地局１１０、１１１、１１４と通信可能な移動局１２３〜１２７を含んでいる。
【００３０】
基地局コントローラ１４１〜１４４は、基地局１１０、１１１、および１１４を介したモバイル交換局１５１、１５２の制御の下で、同じセルまたは相違するセル中の相違する移動局１２３〜１２７間でデータを搬送する信号をルーティングするように動作する。モバイル交換局１５１、１５２は公衆交換電話網（ＰＳＴＮ）１６２に接続されている。データを搬送する信号は、公衆交換電話網１６２を介して各移動局１２３〜１２７と他の通信ネットワークの通信装置との間で転送され得る。このように、公衆交換電話網１６２は、無線通信システム１００と他の通信システムとの間で呼（コール）がルーティングされることを可能にする。他のそのような通信システムは、有線システム、光ファイバー・システム、および別のタイプおよび別の規格に準拠する他のモバイル・セルラ通信システムを含んでいる。
【００３１】
各移動局１２３〜１２７は多くの基地局１１０、１１１、１１４のうちのいずれか１つによってサーブ（serve）されることが可能である。移動局１２４は、サーブしている基地局１１４によって送信された信号、および近くのサーブしておらずかつ他の移動局１２５、１２７にサーブすることを意図されている基地局１１０、１１１によって送信された信号の両方を受信する。したがって、サーブしていない基地局１１０、１１１によって送信された信号は、基地局１１４によってサーブされている移動局１２４の受信器で干渉波として振る舞う。
【００３２】
基地局１１０、１１１、１１４からの相違する信号の強度は、基地局１１４によってサーブされている移動局１２４によって周期的に測定され、基地局コントローラ１４４に報告される。隣接セル中の基地局１１０および１１１は、典型的には、基地局１１４によって使用される通信チャネルと異なるセットを使用して信号を送信する。移動局１２５は、自身のサーブしていない基地局１１０、１１１からの信号を監視する。
【００３３】
基地局１１０、１１１からの１つのチャネル上の近くの信号がサーブしている基地局１１４の別のチャネル上の信号より強くなると、モバイル交換局（ＭＳＣ）１５２は、通常、近くの基地局１１０および１１１をサーブする基地局にし、かつサーブしている基地局１１４をサーブしない基地局にするように動作する。このように、ＭＳＣ１５２は、近くの基地局１１０への移動局のハンドオーバーを実行する。
【００３４】
ハンドオーバーは、非隣接セル中のそれぞれの２つの基地局によって同じチャネル上で送信された２つの信号が、移動局によって同様の振幅で受信される場合にも起こり得る。これらの信号の１つはこの移動局のためであることを意図されており（希望信号）、また、もう１つの信号は別の移動局のためであることを意図されており、移動局において希望信号への干渉波として振る舞う。移動局が干渉信号が存在する中で希望信号を受信および復号することが可能でなきない場合、ネットワークは、ハンドオーバーを実行して移動局に別のチャネルを割り当てる。ハンドオーバーの処理は、ネットワークの実際の容量を減じる。ハンドオーバーがネットワークと移動局の間でのシグナリングを含み、シグナリングは通信帯域幅を使用するからである。したがって、ハンドオーバーの数を最小にすることが望ましい。
【００３５】
移動局のハンドオーバーは、受信器での干渉環境が希望信号を受信するのに厳しいか不利であるが移動局が高度な干渉波除去能力を有することが知られている状況では、延期または回避されることが可能である。そのような高度干渉波除去能力は、たとえ干渉が厳しいか不利であっても、受信器がサーブしている基地局からの信号をなおも受信および復号することを可能にする。移動局が高度な受信器能力を有することをネットワークが知っていれば、ネットワークはより高いレベルの干渉信号を送信しかつハンドオーバーを回避または延期することが可能である。より少ない数のハンドオーバーが起こるのであれば、通信システムはより効率的に動作することが可能である。
【００３６】
ネットワークのＭＳＣ１５２は、移動局１２３〜１２７によって受信された信号についての移動局１２３〜１２７によって報告された電力レベルに基づいて、および移動局１２３〜１２７の受信器能力、特にノイズおよび干渉波除去能力に基づいて、移動局１２３〜１２７のハンドオーバーを実行するべきか決定し得る。ＭＳＣは、自身の受信器能力のインジケーションを具備する信号を送信した移動局１２３〜１２７の受信器能力についての知識を有する。移動局１２４はまた、被受信信号品質および／または自身が基地局１１０から受信する信号の電力レベルをインジケートする信号を定期的（周期的）に送信する。例えば、移動局１２４は、移動局１２４によって受信された信号の信号対雑音および干渉波比（ＳＮＩＲ）に依存する値を各々が有する受信品質パラメータＲＸ  ＱＵＡＬおよび／またはビット・エラー確率（ＢＥＰ）をインジケートする信号を定期的に送信し得る。ＭＳＣ  １５２は、移動局１２４が所定の閾値未満の被受信信号品質をインジケートした場合に限り、ＭＳＣ  １５２がハンドオーバーを実行するように動作し得、重要なことに、ＭＳＣ１５２はＤＡＲＰのような高度干渉波除去能力を有する移動局１２４のためにより低い閾値を使用するように構成され得る。これは、ＤＡＲＰを有する移動局１２４が自身の受信器への入力において上述のようにより高いレベルの干渉波を許容することが可能だからである。
【００３７】
添付図面の図２は、図１の無線通信システム１００の送信器１１８および受信器１５０の概略図である。下りリンクについては、送信器１１８は基地局１１０、１１１、１１４の一部であり得、受信器１５０は移動局１２３〜１２７の一部であり得る。上りリンクについては、送信器１１８は移動局１２３〜１２７の一部であり得、受信器１５０は基地局１１０、１１１、１１４の一部であり得る。送信器１１８はトラフィック・データおよび受信器能力をインジケートするデータを含み得るシグナリング・データを送信するために使用される。図２は受信器および送信器を含んだネットワーク・コンポーネントを示しているが、ネットワーク・コンポーネントはトランシーバ（すなわち一体化された受信器および送信器回路）を含み得る。
【００３８】
送信器１１８において、送信データ・プロセッサ１２０は、データを受信および処理（例えば、フォーマット、符号化、インターリーブ）し、符号化された（被符号化）データを提供する。変調器１３０は被符号化データに対して変調を実行し、変調された（被変調）信号を提供する。送信器ユニット１３２は被変調信号を調整（例えば濾波、増幅、およびアップコンバート）し、ＲＦ被変調信号を生成する。ＲＦ被変調信号はアンテナ１３４によって送信される。
【００３９】
受信器１５０において、アンテナ１５２は、送信器１１８から被送信ＲＦ被変調信号、および他の送信器から被送信ＲＦ被変調信号を受信する。アンテナ１５２は、被受信ＲＦ信号をレシーバ・ユニット１５４に提供する。レシーバ・ユニット１５４は被受信ＲＦ信号を調整（例えば、濾波、増幅、ダウンコンバート）し、調整された信号をディジタル化し、サンプルを提供する。復調器１６０は、サンプルを処理し、復調された（被復調）データを提供する。受信データ・プロセッサ１７０は被復調データを処理（例えば、デインターリーブおよび復号）し、復号された（被復号）データを提供する。一般に、復調器１６０および受信データ・プロセッサ１７０による処理は、送信器１１０での変調器１３０および送信データ・プロセッサ１２０による処理とそれぞれ相補的である。
【００４０】
コントローラ／プロセッサ１４０および１８０は、送信器１１８および受信器１５０での動作をそれぞれ制御する。メモリ１４２および１８２は、コンピュータ・ソフトウェアの形態のプログラム・コード、および送信器１１８ならびに受信器１５０によってそれぞれ使用されるデータを格納する。
【００４１】
添付図面の図３は、強化された干渉波除去能力を有する受信器１１２０を含んだトランシーバ１１００を例示する概略図である。トランシーバ１１００は移動局１２３〜１２７の一部であり得、同様に基地局１１０、１１１、１１４の一部であり得る。データを具備する信号は、アンテナ１１０１およびデュプレクサ・スイッチ１１１５によって受信器フロント・エンド１１０２に提供される。受信器フロント・エンド１１０２は、信号を濾波、増幅、およびダウンコンバートして、ダウンコンバートされた（被ダウンコンバート）信号を生成する役目をする。復調器１１０３は、被ダウンコンバート信号を復調して被復調信号を生成する役目をする。
【００４２】
受信器１１２０は単アンテナ干渉波打ち消し（ＳＡＩＣ）等化器（イコライザ）１１０５および最大尤度シーケンス推定器（ＭＬＳＥ）等化器１１０６を具備する。受信器１１２０は、中央処理装置（ＣＰＵ）１１０９の制御の下でかつＣＰＵ１１０９に結合されているメモリ１１４０に格納されている命令に従って、単アンテナ干渉波打消し（ＳＡＩＣ）等化器１１０５または最大尤度シーケンス推定器（ＭＬＳＥ）等化器１１０６のいずれかを使用するように適合されている。同様の振幅を有する２つの信号が受信される場合、ＳＡＩＣ等化器１１０５が使用されることが好ましい。被受信信号の振幅が類似していない場合、例えば希望信号が不要なコチャネル信号よりはるかに大きな振幅を有する場合、典型的には、ＭＬＳＥ等化器１１０６が使用される。
【００４３】
ＳＡＩＣ等化器１１０５およびＭＬＳＥ等化器１１０６は各々、トレーニング・シーケンス生成器１１０４によって生成されたトレーニング・シーケンスを使用して、被復調信号のチャネル推定および等化を実行して等化された（被等化）信号を生成ように構成されている。被等化信号はチャネル復号器およびインターリーバ１１０７に供給される。チャネル復号器およびインターリーバ１１０７は、被等化信号を復号およびデインターリーブして復号かつデインターリーブされたデータを生成する役目をする。復号かつデインターリーブされたデータはＣＰＵ１１０９に出力される。
【００４４】
アンテナ１１０１、デュプレクサ・スイッチ１１１５、受信器フロント・エンド１１０２、受信器復調器１１０３、単アンテナ干渉波打消し（ＳＡＩＣ）等化器１１０５、ＭＬＳＥ等化器１１０６、トレーニング・シーケンス生成器１１０４、およびチャネル復号器およびインターリーバ１１０７の動作は既知であり、さらに詳細に記述される必要はない。
【００４５】
トランシーバ１１００によって送信されるデータ１１１６は、符号化およびインターリーブ・ユニット１１１０によって符号化およびインターリーブされて符号化かつインターリーブされたデータを生成する。符号化かつインターリーブされたデータは、変調器１１１１へ入力される。変調器１１１１は、符号化かつインターリーブされたデータを変調して被変調データを生成するのに役立つ。送信器フロント・エンド１１１２は、被変調データを濾波、増幅、アップコンバートして送信データを生成するように構成されている。送信データはデュプレクサ・スイッチ１１１５およびアンテナ１１０１を介して送信される。符号化およびインターリーブ・ユニット１１１０、変調器１１１１、および送信器フロント・エンド１１１２の動作は既知であり、より詳細に記述される必要はない。トランシーバ１１００によって送信されるデータ１１１６は受信器能力をインジケートするデータを含み得る。
【００４６】
干渉信号が存在する中で希望信号を受信する受信器（例えば受信器１１２０）の能力は、干渉波除去能力として規定され得る。規定された干渉波除去能力の一例は、上記されかつ上記のＧＳＭ規格によって規定されたＤＡＲＰ能力である。移動局１２３〜１２７は、自身の受信器能力をインジケートする信号を送信するように構成されている。移動局１２３〜１２７がＤＡＲＰ能力を有していれば、移動局１２３〜１２３７はＤＡＲＰ能力を有することをインジケートする。移動局１２３〜１２７は、ＤＡＲＰ能力を有していてもよいし、ＤＡＲＰによって提供されるもの未満の干渉波能力を有していてもよい。
【００４７】
添付図面の図４は、ネットワーク装置４１０、移動局４２０、および送信器４３０を具備する無線通信システム４００の概略図である。これら構成要素（コンポーネント）がより完全に以下に詳述される。
【００４８】
ネットワーク装置４１０は、受信器４１１および送信器４１２を含んでいる。移動局４２０は受信器４２１を含んでいる。ネットワーク装置の４１０の送信器４１２によって送信された信号は、移動局の４２０の受信器４２１によって受信され得る。信号は、ネットワーク装置４１０と移動局４２０との間の接続を提供するための無線リンクを通じて１または複数のアンテナ（図示せず）によって送受信され得る。図１との関連で上記されているように、ネットワーク装置４１０によって無線送信された信号は相違する方向に送信され、複数の移動局４２０によって受信され得ることが理解されるべきである。また、各移動局４２０は、複数のネットワーク装置４１０によって送信された複数の信号を受信し得る。
【００４９】
送信器４３０は、インジケーティング（インジケートする）データを具備する信号を送信する役目をする。インジケーティング・データは、移動局４２０のために移動局４２０が動作可能な通信モードのセット（組）をインジケートする役目をする。インジケーティング・データはまた、移動局４２０が動作可能な通信モードのセットの少なくとも１つのモードのための移動局４２０の干渉波除去能力をインジケートする役目をする。インジケーティング・データは、典型的には、シグナリング・データの形態で送信される。
【００５０】
ネットワーク装置４１０中の、ネットワーク装置４１０の受信器４１１に結合されたリソース割り当て器４１３は、被受信インジケーティング・データに対して、ネットワーク装置４１０と移動局４２０との間の接続の間の使用のためのシステム・リソースを割り当てることによって応答する。システム・リソースの割り当ては、接続の通信モードＭ、その通信モードのためのインジケートされた移動局４２０の干渉波除去能力Ｉ、および接続の間に存在すると予測される干渉環境Ｅに依存する。無線通信システム４００のより詳細な例が、次に記述される。
【００５１】
添付図面の図５は、ネットワーク装置４１０、移動局４２０、および送信器４３０を具備する別の無線通信システム５００の概略図である。
【００５２】
ネットワーク装置４１０は、受信器４１１、送信器４１２、およびリソース割り当て器（アロケータ）４１３を具備する。リソース割り当て器４１３は、プロセッサ５１５、およびプロセッサ５１５と通信中のメモリ５１６を具備する。プロセッサ５１５は、ネットワーク装置４１０の受信器４１１および送信器４１２の動作を制御し、また後述のようにネットワーク装置４１０と移動局４２０との間の接続の間の使用のためのリソースを割り当てるように動作可能である。図５に示されているネットワーク装置４１０の受信器４１１および送信器４１２の動作は、それぞれ、図４に示されているネットワーク装置４１０の受信器４１１および送信器４１２の動作と同様である。
【００５３】
移動局４２０は、受信器４２１、送信器５２２、プロセッサ５２５、およびプロセッサ５２５と通信中のメモリ５２６を具備する。図５に示されている遠隔局４２０の受信器４２１の動作は、図４に示されている遠隔局４２０の受信器４２１の動作と同様である。図５の送信器４３０の動作は、図４の送信器４３０の動作と同様である。ネットワーク装置４１０の要素および移動局４２０の要素の動作原理が、以下により詳細に記述される。
【００５４】
ネットワーク装置４１０は、典型的には基地局１１０、１１１、１１４の一部を形成する。送信器４３０は、移動局４２０の一部を形成してもよいし、図４および図５に示されているような移動局４２０の外部にあってもよい。例えば、ネットワーク装置４１０は送信器４３０を含み得、また、インジケーティング・データはＢＳＣ１４４またはＭＳＣ１５２を源とし得る。送信器４３０はインジケーティング・データをシグナリング・データとして送信し得、またインジケーティング・データを無線でまたは有線リンク上で送信し得る。送信器４３０が移動局４２０の一部を形成する場合、送信器４３０は、移動局４２０の送信器５２２と同じ要素であり得る。その場合、移動局の送信器４３０および５２２はインジケーティング・データを送信しかつインジケーティング・データ以外のトラフィック・データおよびシグナリング・データを送信する役目をする。
【００５５】
送信器４３０がネットワークの一部であるが移動局４２０の一部でない場合、送信器４３０は、移動局４２０および移動局４２０と同じセル中で同じネットワーク装置４１０によってサーブされている他の全ての移動局４２０のためのインジケーティング・データを送信する。または、送信器４３０が移動局４２０の一部である場合、送信器４３０は、移動局４２０だけのためのインジケーティング・データを送信する。送信器４３０は、移動局４２０に関する保存されたインジケーティング・データを検索し、次いでこのインジケーティング・データを送信し得る。ネットワーク装置４１０の受信器４１１は、送信器４３０によって送信されたインジケーティング・データを受信する。送信器４３０が移動局４２０の一部でない場合、送信器４３０は、移動局４２０と同じセルによってサーブされている全ての移動局のための保存されたインジケーティング・データを送信する。
【００５６】
リソース割り当て器４１３のプロセッサ５１５は接続のための通信モードＭ、干渉波除去能力Ｉ、および予測される干渉波環境Ｅ（各々、言及済みである）に基づいてシステム・リソースを割り当てるように動作する。モードＭ、干渉波除去能力Ｉ、および予測される干渉環境Ｅに関するデータは、メモリ５１６に格納され、図４について上記されているように、各々、送信器４３０によって送信されかつネットワーク装置４１０の受信器４１１によって受信されたインジケーティング・データの一部に由来する。接続のための通信モードＭ、干渉波除去能力Ｉ、および予測される干渉環境Ｅに関連する無線通信システム５００の要素の動作が次に説明される。
【００５７】
ネットワーク装置４１０は、自身が受信する呼データに基づいて接続のための通信モードＭを特定する。ネットワーク装置は、例えば呼出しデータが移動局４２０の送信器５２２によって送信されると、自身の受信器４１１においてこの呼出しデータを受信し得る。呼出しデータは遠隔局以外のエンティティー（例えばＭＳＣ１１４）を源とし得る。その場合、呼出しデータは、ネットワーク装置４１０とＭＳＣ１５２との間のネットワーク相互継続（図４または図５中で図示せず）を介してネットワーク装置４１０に送信される。そのようなネットワーク相互継続の一例は、ＭＳＣ１５２をＢＳＣ１４４に繋ぎかつＢＳＣ１４４を基地局１１４（この例では、基地局１１４はネットワーク装置４１０を具備している）に繋ぐ線として図１に示されている。
【００５８】
リソース割り当て器４１３は、移動局４２０によって送信されかつ被受信信号品質をインジケートするデータ（例えば移動局４２０での被受信信号品質の測定値に基づいた被受信信号品質インジケータ（例えばＲＸ  ＱＵＡＬ）またはビット誤り確率（ＢＥＰ））を含んだ報告に基づいて、予測される干渉環境Ｅを割り出し得る。そのような測定値は移動局４２０の受信器４２１での干渉の測定値を提供することに寄与する。干渉の実測は移動局４２０において実行されるが、サーブしている基地局１１４は、干渉を克服するように（基地局１１４から移動局１２４および４２０までの）下りリンクを適合させるためにこの情報を利用する。サーブしている基地局１１４のネットワーク装置４１０は、本明細書において記述されているようなシステム・リソースを割り当てることによって下りリンクの適合に寄与する。
【００５９】
または、ネットワークは、サーブしている基地局１１４によって受信された信号に関連するパラメータに基づいて移動局４２０、１２４の受信器４２１についての予測される干渉環境Ｅを割り出し得る。１つのそのようなパラメータは、サーブしている基地局１１４によって受信されかつ移動局４２０、１２４によって送信された信号の被受信信号品質に依存する被受信信号品質パラメータである。別のそのようなパラメータは、サーブしている基地局１１４によって受信されかつ移動局４２０、１２４および他の移動局１２３、１２５、１２６、１２７によって送信された信号についてのサーブしている基地局１１４によって測定された電力レベルである。さらに別のパラメータは、サーブしている基地局１１４によって受信されかつ移動局４２０、１２４によって送信された信号の測定されたビット誤り確率（ＢＥＰ）である。サーブしている基地局１１４の受信器での干渉環境は、移動局４２０、１２４の受信器４２１の干渉環境が不利な場合、不利な傾向がある。ＭＳＣ１５２は、システム・リソースが接続のための割り当てられている場合に移動局４２０、１２４の受信器４２１で存在すると予測される干渉環境Ｅを割り出すために、サーブしている基地局の１１４の受信器での被受信信号品質パラメータ、測定された電力レベル、ビット誤り確率、および干渉環境の１または複数を使用し得る。
【００６０】
予測される干渉波環境Ｅは、ネットワーク装置４１０によって割り出され得る。例えば、ネットワーク装置４１０のリソース割り当て器４１３は、移動局４２０によって送信されかつネットワーク装置の受信器４１１によって受信された電力データ（これは移動局４２０によって受信された信号の電力レベルをインジケートする）に基づいて、予測される干渉環境Ｅを割り出し得る。インジケートされた電力レベルは、典型的には、サーブしている基地局１１４以外の基地局１１０、１１１によって送信されかつ移動局４２０によって受信された干渉信号の電力レベルを含んでいる。
【００６１】
または、予測される干渉環境Ｅは、ネットワークの、ネットワーク装置４１０と定期通信している他の何らかの要素（例えばＢＳＣ１４４またはＭＳＣ１５２）によって割り出され得る。ネットワーク装置４１０は、予測される干渉環境Ｅを表すデータを有線または無線接続によって別の要素から受信し得る。ネットワーク装置４１０は、移動局４２０の被受信信号のレベルおよび／または移動局の希望被受信信号についての被受信信号品質パラメータに基づいて予測される干渉環境Ｅを表すデータを、予測される干渉環境Ｅを算出するための手段を具備する移動局４２０から直接受信し得る。
【００６２】
メモリ５１６は、上述のように、送信器４３０によって送信されかつ受信器４１１によって受信されたインジケーティング・データを格納する。すなわち、受信器４１１は、移動局４２０が動作可能な通信モードのセットを表すデータを格納し、またそのモードのセットのうちの１または複数について移動局４２０の干渉波除去能力Ｉを表すデータを格納する。メモリ５１６はまた、接続のための通信モードＭを表すデータ、および予測される干渉環境Ｅを表すデータを格納する。予測される干渉環境Ｅは、接続がネットワーク装置４１０と移動局４２０の間で確立されているなら、移動局４２０の受信器４２１で存在すると予想される。
【００６３】
リソース割り当て器４１３のプロセッサ５１５は、ネットワーク装置４１０と移動局４２０との間の接続の間の使用のためのシステム・リソースを割り当てるようにメモリ５１６に格納されている命令に従って動作する。システム・リソースの割り当ては、格納されている接続の通信モードＭ、その通信モードのための移動局４２０の格納されているインジケートされた干渉波除去能力Ｉ、および接続の間に存在すると予測される格納されている干渉環境Ｅに依存する。プロセッサ５１５は、ネットワーク装置４１０の受信器４１１および送信器４１２に結合されており、これらの動作をメモリ５１６に含まれている命令にしたがって制御する。
【００６４】
移動局４２０は、受信器４２１、送信器５２２、メモリ５２６、およびメモリ５２６に結合されているプロセッサ５２５を具備する。移動局のプロセッサ５２５は、送信器５２２および受信器４２１に結合されており、これらの動作をメモリ５２６に含まれている命令にしたがって制御するように動作する。送信器４３０が移動局４２０の一部である場合、プロセッサ５２５はまた送信器４３０、５２２の動作を制御するように動作する。
【００６５】
移動局の受信器４２１は、ネットワーク装置４１０の送信器４１２によって下りリンク上で送信された信号を受信するように構成されている。移動局の送信器５２２は上りリンク上で信号を送信するように構成されている。これらの信号はネットワーク装置４１０の受信器４１１によって受信される。下りリンクおよび上りリンクは、協働で、ネットワーク装置４１０と移動局４２０との間の双方向接続を提供する役目をする。トラフィック・データおよびシグナリング・データはこの接続を介してネットワーク装置４１０と移動局４２０との間で通信される。接続が一方向（ネットワーク装置４１０から移動局４２０まで（図４を参照されたい））であってもよいし上記のように双方向であってもよいことが理解されるべきである。
【００６６】
添付図面の図６は、ネットワーク装置４１０と移動局４２０との間の接続の間にシステム・リソースを割り当てるための手順６００を例示するフロー図である。手順６００は、主として図５に示されているリソース割り当て器４１３において行なわれる。
【００６７】
ブロック６０１において、インジケーティング・データが送信される。インジケーティング・データは、（ａ）移動局４２０が動作可能な通信モードのセット、および（ｂ）移動局４２０が動作可能な通信モードのセットのうちの少なくとも１つのモードについての干渉波除去能力のインジケーションＩをインジケートする役目をする。インジケーティング・データは図４および図５に示されている送信器４３０によって送信される。
【００６８】
ブロック６０２において、インジケーティング・データはネットワーク装置４１０の受信器４１１によって受信される。ブロック６０３において、モードのセットが、モードのセットに関する被受信インジケーティング・データの一部に基づいてネットワーク装置４１０のプロセッサ５１５によって特定される。ブロック６０４において、１または複数の干渉波除去能力Ｉが特定される。各能力Ｉは、モードのセットのうちの１つについてのものである。干渉波除去能力Ｉの識別は、干渉波除去能力Ｉに関する被受信インジケーティング・データの一部に基づいて、ネットワーク装置４１０のプロセッサ５１５によって実行される。
【００６９】
ブロック６０５において、ネットワーク装置４１０と移動局４２０との間の接続のための通信モードＭが特定される。例えば、特定された（被特定）通信モードＭは５つの可能な通信モードのうちの１つであり得る。被特定通信モードＭは、必要なタイプのサービスを提供するために特定の移動局４２０へ信号を送信するのに適したものである。必要なタイプのサービスは、例えば音声データまたはインターネット・データであり得る。通信モードＭは、発呼者によって要求されたサービスのために必要な通信モードであり得る。ネットワーク装置４１０は、図５との関連で上記されているように、ネットワーク装置４１０が受信する呼データに基づいて接続のための通信モードＭを特定する。
【００７０】
ブロック６０６において、判断が実行される。この判断は、特定された接続の通信モードＭ、その通信モードについての移動局４２０のインジケートされた干渉波除去能力Ｉ、および接続の間に存在すると予測される干渉環境Ｅに基づく。判断は、リソース割り当て器４１３のメモリ５１６に保存されているデータおよび命令にしたがってリソース割り当て器４１３のプロセッサ５１５によって実行される。この保存されているデータは、特定された接続の通信モードＭ、その通信モードについての移動局４２０のインジケートされた干渉波除去能力Ｉ、および予測される干渉環境Ｅに関する。
【００７１】
好ましくは、判断は、移動局４２０が予測される干渉環境Ｅ中にある場合に移動局４２０が接続の間に被特定通信モードＭを使用するのに移動局の被特定干渉波除去能力Ｉが適するかを判断するように実行される。すなわち、判断は、移動局４２０の受信器４２１が予測される干渉環境Ｅ中にある場合に移動局４２０の干渉波除去能力Ｉおよび被特定通信モードＭが協働で移動局４２０が接続の間に使用するのに適しているかどうか明らかにするのに役目をする。
【００７２】
したがって、予測される干渉環境が不利（すなわち、厳しい）でかつ接続の通信モードについての移動局のインジケートされた干渉波除去能力が不利な干渉環境に適している場合、リソース割り当て器は接続の間での使用のためのシステム・リソースを割り当てる。反対に、予測される干渉環境が不利（すなわち、厳しい）でかつ接続の通信モードについての移動局のインジケートされた干渉波除去能力が不利な干渉環境に適していない場合、リソース割り当て器は接続の間での使用のためのシステム・リソースを割り当てない。
【００７３】
ブロック６０６での判断が肯定（ＹＥＳ）の場合、ブロック６０７において、システム・リソースが、ネットワーク装置４１０と移動局４２０との間の接続の間の使用のためにリソース割り当て器４１３のプロセッサ５１５によって割り当てられる。判断が否定（ＮＯ）の場合、移動局の干渉波除去能力は適切ではなく、システム・リソースは接続の間での使用のために割り当てられない。決定が否定の場合、随意的に、ブロック６０５において、新しいモードＭが当該接続のために特定され、または、既存の接続がこの判断に起因して実行または確立されない場合にモードＭが新しい接続のために特定される。このように、たとえば発呼者を源とする新しい被受信呼出しデータに基づいて、モードＭが特定されてもよいし、新しい接続のために新しいモードＭが特定されてもよい。
【００７４】
一例（オプション１）によれば、インジケーティング・データは、情報の複数のビット（例えば３ビット）を具備し得る。これらは協働で、移動局が動作可能な通信モードのセットのうちのいくつかまたは全てのモードのための干渉波除去能力をインジケートする。通信モードのセットのうちの相違するサブセット（部分集合）のための干渉波除去能力をインジケートするために、３ビットの相違する組合せがオプション１において使用される。この例では、干渉波除去能力はＤＡＲＰフェーズ３能力であり、また通信モードのセットは、音声チャネル、ＧＰＲＳ、ＥＧＰＲＳ、ＥＧＰＲＳ２−Ａ、およびＥＧＰＲＳ２−Ｂである。干渉波除去能力がＤＡＲＰフェーズ３能力以外の受信器能力の１タイプであり得ることが理解されるべきである。
【００７５】
オプション１：
ビット・パターンは、ＤＡＲＰフェーズ３がどの動作モードのためにサポートされているのかを定義する。このオプションでは、ＤＡＲＰフェーズ３サポートは階層的でありかつ３ビットが常に使用される。モバイルがＤＡＲＰフェーズ３能力をサポートしないことをモバイルがインジケートする場合でもそうである。
【００７６】
<DARP Phase 3 capability : bit (3)>
ビット・パターンの定義は以下のとおりである。
【００７７】
DARP Phase 3 capability（３ビット・フィールド）
このフィールドは、ＭＳのＤＡＲＰフェーズ３能力をインジケートする。それは以下のように符号化される。
【００７８】
ビット  インジケーション
３２１
０００  ＤＡＲＰフェーズ３はサポートされていない
００１  ＤＡＲＰフェーズ３は音声チャネルに対してサポートされている
０１０  ＤＡＲＰフェーズ３は音声チャネルおよびＧＰＲＳに対してサポートされている
０１１  ＤＡＲＰフェーズ３は音声チャネル、ＧＰＲＳ、およびＥＧＰＲＳに対してサポートされている
１００  ＤＡＲＰフェーズ３は音声チャネル、ＧＰＲＳ、ＥＧＰＲＳ、およびＥＧＰＲＳ２−Ａに対してサポートされている
１０１  ＤＡＲＰフェーズ３は音声チャネル、ＧＰＲＳ、ＥＧＰＲＳ、ＥＧＰＲＳ２−Ａ、ＥＧＰＲＳ２−Ｂに対してサポートされている。
【００７９】
１１０  予約。移動局はこの値を使用しない。ネットワークによって受信された場合、１０１として解釈される
１１１  予約。移動局はこの値を使用しない。ネットワークによって受信された場合、１０１として解釈される。
【００８０】
別の例（オプション２）によれば、送信器はインジケーティング・データが個々のビットの情報（個々のビットの各々が、それぞれの通信モードについての干渉波除去能力をインジケートする）を具備するように、インジケーティング・データを送信するように構成され得る。
【００８１】
オプション２：
１ビットが、各動作モードについてのＤＡＲＰフェーズ３についてのサポートを示す。この符号化は、各動作モードについてのＤＡＲＰフェーズ３能力インジケーションを独立して与える。短所は、それが、モバイルがいずれの動作モードに対してもＤＡＲＰフェーズ３もサポートしない場合、能力の伝達のために５ビットを使用するということである。
【００８２】
< DARP Phase 3 capability for voice channels : bit >
< DARP Phase 3 capability for GPRS : bit >
< DARP Phase 3 capability for EGPRS : bit >
< DARP Phase 3 capability for EGPRS2-A : bit >
< DARP Phase 3 capability for EGPRS2-B : bit >
これらの能力の各々の定義は以下のとおりである。
【００８３】
DARP Phase 3 capability for voice channels（１ビット・フィールド）
このフィールドは、音声チャネルに対するＭＳのＤＡＲＰフェーズ３能力をインジケートする。それは以下のように符号化される。
【００８４】
ビット
０      ＤＡＲＰフェーズ３は音声チャネルに対してサポートされていない
１      ＤＡＲＰフェーズ３は音声チャネルに対してサポートされている
DARP Phase 3 capability for GPRS（１ビット・フィールド）
このフィールドは、ＭＳ  ＧＰＲＳに対するＤＡＲＰフェーズ３能力をインジケートする。それは以下のように符号化される。
【００８５】
ビット
０      ＤＡＲＰフェーズ３はＧＰＲＳに対してサポートされていない
１      ＤＡＲＰフェーズ３はＧＰＲＳに対してサポートされている
DARP Phase 3 capability for EGPRS（１ビット・フィールド）
このフィールドは、ＭＳ  ＥＧＰＲＳに対するＤＡＲＰフェーズ３能力をインジケートする。それは以下のように符号化される。
【００８６】
ビット
０      ＤＡＲＰフェーズ３はＥＧＰＲＳに対してサポートされていない
１      ＤＡＲＰフェーズ３はＥＧＰＲＳに対してサポートされている
DARP Phase 3 capability for EGPRS2-A（１ビット・フィールド）
このフィールドは、ＭＳ  ＥＧＰＲＳ２−Ａに対するＤＡＲＰフェーズ３能力をインジケートする。それは以下のように符号化される。
【００８７】
ビット
０      ＤＡＲＰフェーズ３はＥＧＰＲＳ２−Ａに対してサポートされていない
１      ＤＡＲＰフェーズ３はＥＧＰＲＳ２−Ａに対してサポートされている
DARP Phase 3 capability for EGPRS2-B（１ビット・フィールド）
このフィールドは、ＭＳ  ＥＧＰＲＳ２−Ｂに対するＤＡＲＰフェーズ３能力をインジケートする。それは以下のように符号化される。
【００８８】
ビット
０      ＤＡＲＰフェーズ３はＥＧＰＲＳ２−Ｂに対してサポートされていない
１      ＤＡＲＰフェーズ３はＥＧＰＲＳ２−Ｂに対してサポートされている。
【００８９】
別の例（オプション３）によれば、１ビットが上記の複数のビットと共に使用され得る。この１ビットは、移動局が任意の動作モードに対する高度な干渉波能力を有するか有しないかをインジケートする役目をする。
【００９０】
オプション３：
このオプションは、それが、移動局がいずれの動作モードに対してもＤＡＲＰフェーズ３をサポートしない場合に１ビットのみを使用する以外はオプション１と同様である。ビット・パターンは、ＤＡＲＰフェーズ３がどの動作モードに対してサポートされているかを定義する。このオプションでは、ＤＡＲＰフェーズ３サポートは階層的である。
【００９１】
{ 0|1 < DARP Phase 3 capability : bit (3) > }
ビット・パターンの定義は以下のとおりである。
【００９２】
DARP Phase 3 capability（３ビット・フィールド）
このフィールドが存在しない場合、移動局は、いずれの動作モードに対してもＤＡＲＰフェーズ３をサポートしない。  
このフィールドが存在する場合、それは、ＭＳのＤＡＲＰフェーズ３能力をインジケートする。それは以下のように符号化される：
ビット
３２１  インジケーション
０００  ＤＡＲＰフェーズ３は音声チャネルに対してサポートされている
００１  ＤＡＲＰフェーズ３は音声チャネルおよびＧＰＲＳに対してサポートされている
０１０  ＤＡＲＰフェーズ３は音声チャネル、ＧＰＲＳ、およびＥＧＰＲＳに対してサポートされている
０１１  ＤＡＲＰフェーズ３は音声チャネル、ＧＰＲＳ、ＥＧＰＲＳ、およびＥＧＰＲＳ２−Ａに対してサポートされている
１００  ＤＡＲＰフェーズ３は音声チャネル、ＧＰＲＳ、ＥＧＰＲＳ、ＥＧＰＲＳ２−Ａ、およびＥＧＰＲＳ２−Ｂに対してサポートされている
１０１  予約。移動局はこの値を使用しない。ネットワークによって受信された場合、１００として解釈される
１１０  予約。移動局はこの値を使用しない。ネットワークによって受信された場合、１００として解釈される
１１１  予約。移動局はこの値を使用しない。ネットワークによって受信された場合、１００として解釈される。
【００９３】
別の例（オプション４）によれば、１ビットは、個々のビットと共に以下のように使用されることが可能である。
【００９４】
オプション４：
このオプションは、オプション２に類似するが、どのモードについてもＤＡＲＰフェーズ３能力が無いことを１ビットを使用してシグナルすることを可能にする。その他の点では、この符号化はオプション２と同じ柔軟性を有する。短所は、ＤＡＲＰフェーズ３サポートが１つまたは複数のモードについてシグナルされる場合、６ビットが常に使用されることである。
【００９５】
{ 0 | 1 < DARP Phase 3 capability for voice channels : bit >
< DARP Phase 3 capability for GPRS : bit >
< DARP Phase 3 capability for EGPRS : bit > 
< DARP Phase 3 capability for EGPRS2-A : bit >
< DARP Phase 3 capability for EGPRS2-B : bit > }
これらの能力の各々の定義は以下のとおりである。
【００９６】
DARP Phase 3 capability for voice channels（１ビット・フィールド）
このフィールドは、音声チャネルに対するＭＳのＤＡＲＰフェーズ３能力をインジケートする。それは以下のように符号化される。
【００９７】
ビット  インジケーション
０      ＤＡＲＰフェーズ３は音声チャネルに対してサポートされていない
１      ＤＡＲＰフェーズ３は音声チャネルに対してサポートされている
DARP Phase 3 capability for GPRS（１ビット・フィールド）
このフィールドは、ＭＳ  ＧＰＲＳのＤＡＲＰフェーズ３能力をインジケートする。それは以下のように符号化される。
【００９８】
ビット  インジケーション
０      ＤＡＲＰフェーズ３はＧＰＲＳに対してサポートされていない
１      ＤＡＲＰフェーズ３はＧＰＲＳに対してサポートされている
DARP Phase 3 capability for EGPRS（１ビット・フィールド）
このフィールドは、ＭＳ  ＥＧＰＲＳのＤＡＲＰフェーズ３能力をインジケートする。それは以下のように符号化される。
【００９９】
ビット  インジケーション
０      ＤＡＲＰフェーズ３はＥＧＰＲＳに対してサポートされていない
１      ＤＡＲＰフェーズ３はＥＧＰＲＳに対してサポートされている
DARP Phase 3 capability for EGPRS2-A（１ビット・フィールド）
このフィールドは、ＭＳ  ＥＧＰＲＳ２−ＡのＤＡＲＰフェーズ３能力をインジケートする。それは以下のように符号化される。
【０１００】
ビット  インジケーション
０      ＤＡＲＰフェーズ３はＥＧＰＲＳ２−Ａに対してサポートされていない
１      ＤＡＲＰフェーズ３はＥＧＰＲＳ２−Ａに対してサポートされている
DARP Phase 3 capability for EGPRS2-B（１ビット・フィールド）
このフィールドは、ＭＳ  ＥＧＰＲＳ２−ＢのＤＡＲＰフェーズ３能力をインジケートする。それは以下のように符号化される。
【０１０１】
ビット  インジケーション
０      ＤＡＲＰフェーズ３はＥＧＰＲＳ２−Ｂに対してサポートされていない
０      ＤＡＲＰフェーズ３はＥＧＰＲＳ２−Ｂに対してサポートされていない
１      ＤＡＲＰフェーズ３はＥＧＰＲＳ２−Ｂに対してサポートされている
または、通信モードのセットは変調方式のセットを具備し得る。文言「通信モード」は通信プロトコル（例えばＧＰＲＳまたは上記のようなＥＤＧＥ）または変調方式、または通信プロトコルと変調方式の両方の組合せのいずれかを包含することが可能である。下記のオプション５によれば、通信モードのセットはガウス最小偏移変調（ＧＭＳＫ）、８相位相変調（８ＰＳＫ）、４相位相変調（ＱＰＳＫ）、１６値直交振幅変調（１６ＱＡＭ）、および３２値直交振幅変調（３２ＱＡＭ）を具備する。インジケーティング・データは、例えば、通信モードのセットのうちのサブセット協働でインジケートする３ビットを具備し得る。３ビットの相違する組合せが使用されてそれぞれのサブセットをインジケートすることが可能である。オプション５において下に示されるビットの組合せは各々、セットＧＭＳＫ、８ＰＳＫ、ＱＰＳＫ、１６ＱＡＭ、および３２ＱＡＭのそれぞれのサブセットをインジケートする。オプション５は、インジケーティング・データをシグナルするために上記のオプション１において使用される原理と同じ原理を使用する。オプション１と５の間の違いは、オプション５が相違する変調方式についての干渉波能力をインジケートし、他方オプション１が相違する通信プロトコルについての干渉波能力をインジケートするということである。
【０１０２】
オプション５
オプション５によれば、ビット・パターンは、ＤＡＲＰフェーズ３がどの変調方式に対してサポートされているかを定義する。このオプションでは、ＤＡＲＰフェーズ３サポートは階層的でありかつ３ビットが常に使用される。モバイルがＤＡＲＰフェーズ３能力をサポートしないことをモバイルがインジケートする場合もそうである。
【０１０３】
< DARP Phase 3 capability : bit (3) >
ビット・パターンの定義は以下のとおりである。
【０１０４】
DARP Phase 3 capability（３ビット・フィールド）
このフィールドは、ＭＳのＤＡＲＰフェーズ３能力をインジケートする。それは以下のように符号化される。
【０１０５】
ビット
３２１  インジケーション
０００  ＤＡＲＰフェーズ３はサポートされていない。
【０１０６】
００１  ＤＡＲＰフェーズ３はＧＭＳＫ変調方式に対してサポートされている
０１０  ＤＡＲＰフェーズ３はＧＭＳＫおよびＱＰＳＫ変調方式に対してサポートされている
０１１  ＤＡＲＰフェーズ３はＧＭＳＫ、ＱＰＳＫ、および８ＰＳＫ変調方式に対してサポートされている
１００  ＤＡＲＰフェーズ３はＧＭＳＫ、ＱＰＳＫ、８ＰＳＫ、および１６ＱＡＭ変調方式に対してサポートされている
１０１  ＤＡＲＰフェーズ３はＧＭＳＫ、ＱＰＳＫ、８ＰＳＫ、１６ＱＡＭ、および３２ＱＡＭ変調方式に対してサポートされている
１１０  予約。移動局はこの値を使用しない。ネットワークによって受信された場合、１０１として解釈される
１１１  予約。移動局はこの値を使用しない。ネットワークによって受信された場合、１０１として解釈される
上記のオプション１〜４において使用される原理が、変調方式ＧＭＳＫ、ＱＰＳＫ、８ＰＳＫ、１６ＱＡＭ、および３２ＱＡＭのセットまたは５つの変調方式の別のセットについての干渉波除去能力をインジケートするために使用されてもよいことが認識されるだろう。３つのインジケーティング・ビットは、最大７の通信モードのためにこのように使用され得る。７超の通信モードが使用される場合、３超のビットがオプション１〜５におけるシグナリング・ビットのビット写像に従って使用される。
【０１０７】
本明細書において記述されている機能は、ハードウェア、ソフトウェア、ファームウェア、またはその任意の組合せにおいて実行され得る。機能は、コンピュータ可読媒体上に格納され得、またはコンピュータ可読媒体上で１または複数の命令またはコードとして送信され得る。コンピュータ可読媒体は、コンピュータによってアクセスされることが可能であるか、あるエンティティーから別のエンティティーにまたはある位置から別の位置に命令またはデータ構造の形態のコンピュータ・プログラムまたはコードの移動を円滑にするあらゆる利用可能な媒体を含んでいる。
【０１０８】
コンピュータ可読媒体は、コンピュータ記憶装置媒体、通信媒体、メモリ、光学記憶装置、磁気記憶装置、または接続を含んでいる（しかしこれらに制限されない）。例えば、ソフトウェアがウェブサイト、サーバ、または他の遠隔ソースから接続を使用して送信される場合、この接続はコンピュータ可読媒体の定義に含まれておりかつ同軸ケーブル、光ファイバー・ケーブル、撚線対、ディジタル加入者線（ＤＳＬ）または赤外線、無線およびマイクロ波のような無線技術を含む（しかしこれらに制限されない）ことが可能である。
【０１０９】
本明細書において使用されているようなディスク（disk）およびディスク（disc）という文言はコンパクト・ディスク（ＣＤ）、レーザー・ディスク、光ディスク、ディジタル多用途ディスク（ＤＶＤ）、フロッピー（登録商標）・ディスク、およびブルーレイ・ディスクを含んでおり、データを磁気的または光学的に再生するための任意の手段を具備し得る。上記のタイプの媒体の組合せもコンピュータ可読媒体の範囲に含まれるべきである。
【０１１０】
このように添付図面に示されている方法および装置への言及によって本発明を記述したが、当該方法および装置は例であって、修正および変形が添付の請求項およびその等価なものにおいて示されているような発明の思想および範囲から逸脱することなく当業者に想到しかつなされ得ることが理解されるべきである。
【図１】
2013536662.tif 000003
【図２】
2013536662.tif 000004
【図３】
2013536662.tif 000005
【図４】
2013536662.tif 000006
【図５】
2013536662.tif 000007
【図６】
2013536662.tif 000008
【手続補正書】
【提出日】平成25年4月30日(2013.4.30)
【手続補正１】
【補正対象書類名】明細書
【補正対象項目名】０１１０
【補正方法】変更
【補正の内容】
【０１１０】
このように添付図面に示されている方法および装置への言及によって本発明を記述したが、当該方法および装置は例であって、修正および変形が添付の請求項およびその等価なものにおいて示されているような発明の思想および範囲から逸脱することなく当業者に想到しかつなされ得ることが理解されるべきである。
以下に、本願出願時の特許請求の範囲に記載された発明を付記する。
［１］干渉環境中でネットワーク装置が少なくとも１つの移動局と通信する無線通信システムであって、
前記少なくとも１つの移動局のために前記移動局が動作可能な通信モードのセットをインジケートするデータと前記セットのうちの少なくとも１つの通信モードのための干渉波除去能力のインジケーションとを送信するための送信器と、
前記インジケートするデータを受信するための受信器と、
前記受信器に結合され、かつ前記受信されたインジケートするデータに応答して前記ネットワーク装置と前記少なくとも１つの移動局との間の接続の間の使用のためのシステム・リソースを割り当てるリソース割り当て器であって、前記システム・リソースを割り当てることは、前記接続の前記通信モード、前記接続の前記通信モードのための前記移動局の干渉波除去能力の前記インジケーション、および前記接続の間の予測される干渉環境に依存する、リソース割り当て器と、
を具備する無線通信システム。
［２］前記リソース割り当て器が、前記予測される干渉環境が不利でかつ前記接続の前記通信モードのための前記移動局の前記インジケートされた干渉波除去能力が前記不利な干渉環境に適している場合、前記接続の間の使用のための前記システム・リソースを割り当てるように構成されている、
［１］の無線通信システム。
［３］前記リソース割り当て器が、前記予測される干渉環境が不利でかつ前記接続の前記通信モードのための前記移動局の前記インジケートされた干渉波除去能力が前記不利な干渉環境に適していない場合、前記接続の間の使用のためのシステム・リソースを割り当てないように構成されている、
［２］の無線通信システム。
［４］前記干渉波除去能力のインジケーションが、前記少なくとも１つの通信モードのうちの各モードのための前記干渉波除去能力を協働でインジケートする役目をする情報の複数のビットを具備する、
［１］乃至［３］のいずれかの無線通信システム。
［５］前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
［１］乃至［３］のいずれかの無線通信システム。
［６］前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
［１］乃至［５］のいずれかの無線通信システム。
［７］前記通信モードのセットが、ＧＭＳＫ、ＱＰＳＫ、８ＰＳＫ、１６ＱＡＭ、および３２ＱＡＭの少なくとも１つを具備する、
［１］乃至［５］のいずれかの無線通信システム。
［８］前記少なくとも１つの移動局が、前記送信器を具備する、
［１］乃至［７］のいずれかの無線通信システム。
［９］前記干渉波除去能力が、下りリンク高度受信器性能フェーズ３干渉波除去能力に準拠している、
［１］乃至［８］のいずれかの無線通信システム。
［１０］干渉環境中で少なくとも１つの移動局と通信している、無線通信システム中での使用のためのネットワーク装置であって、
前記少なくとも１つの移動局のために前記移動局が動作可能な通信モードのセットをインジケートするデータと前記セットのうちの少なくとも１つの通信モードのための干渉波除去能力のインジケーションとを受信するための受信器と、
前記受信器に結合され、かつ前記受信されたインジケートするデータに応答して前記ネットワーク装置と前記少なくとも１つの移動局との間の接続の間の使用のためのシステム・リソースを割り当てるリソース割り当て器であって、前記システム・リソースを割り当てることは、前記接続の前記通信モード、前記接続の前記通信モードのための前記移動局の干渉波除去能力の前記インジケーション、および前記接続の間の予測される干渉環境に依存する、リソース割り当て器と、
を具備するネットワーク装置。
［１１］前記リソース割り当て器が、前記予測される干渉環境が不利でかつ前記接続の前記通信モードのための前記移動局の前記インジケートされた干渉波除去能力が前記不利な干渉環境に適している場合、前記接続の間の使用のための前記システム・リソースを割り当てるように構成されている、
［１０］のネットワーク装置。
［１２］前記リソース割り当て器が、前記予測される干渉環境が不利でかつ前記接続の前記通信モードのための前記移動局の前記インジケートされた干渉波除去能力が前記不利な干渉環境に適していない場合、前記接続の間の使用のためのシステム・リソースを割り当てないように構成されている、
［１１］のネットワーク装置。
［１３］前記干渉波除去能力のインジケーションが、前記少なくとも１つの通信モードのうちの各モードのための前記干渉波除去能力を協働でインジケートする役目をする情報の複数のビットを具備する、
［１０］乃至［１２］のいずれかのネットワーク装置。
［１４］前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
［１０］乃至［１２］のいずれかのネットワーク装置。
［１５］前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
［１０］乃至［１４］のいずれかのネットワーク装置。
［１６］前記通信モードのセットが、ＧＭＳＫ、ＱＰＳＫ、８ＰＳＫ、１６ＱＡＭ、および３２ＱＡＭの少なくとも１つを具備する、
［１０］乃至［１４］のいずれかのネットワーク装置。
［１７］前記干渉波除去能力が、下りリンク高度受信器性能フェーズ３干渉波除去能力に準拠している、
［１０］乃至［１６］のいずれかのネットワーク装置。
［１８］干渉環境中でネットワーク装置が移動局と通信する無線通信システム中での使用のための前記移動局であって、
前記移動局が動作可能な通信モードのセットをインジケートするデータと前記セットのうちの少なくとも１つの通信モードのための干渉波除去能力のインジケーションとを送信するための送信器、
を具備する移動局。
［１９］前記干渉波除去能力のインジケーションが、前記少なくとも１つの通信モードのうちの各モードのための前記干渉波除去能力を協働でインジケートする役目をする情報の複数のビットを具備する、
［１８］の移動局。
［２０］前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
［１８］または［１９］の移動局。
［２１］前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
［１８］乃至［２０］のいずれかの移動局。
［２２］前記通信モードのセットが、ＧＭＳＫ、ＱＰＳＫ、８ＰＳＫ、１６ＱＡＭ、および３２ＱＡＭの少なくとも１つを具備する、
［１８］乃至［２０］のいずれかの移動局。
［２３］前記干渉波除去能力が、下りリンク高度受信器性能フェーズ３干渉波除去能力に準拠している、
［１８］乃至［２２］のいずれかの移動局。
［２４］干渉環境中でネットワーク装置が少なくとも１つの移動局と通信する無線通信システム中での使用のためのシステム・リソースを割り当てる方法であって、
前記少なくとも１つの移動局のために前記移動局が動作可能な通信モードのセットをインジケートするデータと前記セットのうちの少なくとも１つの通信モードのための干渉波除去能力のインジケーションとを送信することと、
前記インジケートするデータを受信することと、
前記受信されたインジケートするデータに応答して前記ネットワーク装置と前記少なくとも１つの移動局との間の接続の間の使用のためのシステム・リソースを割り当てることであって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てることと、
を具備する方法。
［２５］干渉環境中でネットワーク装置が少なくとも１つの移動局と通信する無線通信システム中での使用のための前記ネットワーク装置であって、
プロセッサと、
前記プロセッサと電気的に通信しているメモリと、
前記メモリに格納され、
前記少なくとも１つの移動局のために前記移動局が動作可能な通信モードのセットをインジケートするデータと前記セットのうちの少なくとも１つの通信モードのための干渉波除去能力のインジケーションとを受信し、
前記受信されたインジケートするデータに応答して前記ネットワーク装置と前記少なくとも１つの移動局との間の接続の間の使用のためのシステム・リソースを割り当てることであって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てる、
ために前記プロセッサによって実行可能な命令と、
を具備するネットワーク装置。
［２６］干渉環境中でネットワーク装置が少なくとも１つの移動局と通信する無線通信システムの前記ネットワーク装置中での使用のためのコンピュータ・プログラム製品であって、
コンピュータに、受信されたインジケートするデータに応答して接続の間の使用のためのシステム・リソースを割り当てさせるコードを具備するコンピュータ可読媒体であって、前記コードは、
前記少なくとも１つの移動局のために前記移動局が動作可能な通信モードのセットをインジケートするデータと前記セットのうちの少なくとも１つの通信モードのための干渉波除去能力のインジケーションとを受信し、
前記受信されたインジケートするデータに応答して前記ネットワーク装置と前記少なくとも１つの移動局との間の接続の間の使用のためのシステム・リソースを割り当てることであって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てる、
ための命令を具備するコンピュータ可読媒体、
を具備する、コンピュータ・プログラム製品。
［２７］干渉環境中でネットワーク装置が移動局と通信する無線通信システム中での使用のための前記移動局であって、
プロセッサと、
前記プロセッサと電気的に通信しているメモリと、
前記メモリに格納され、前記移動局が動作可能な通信モードのセットをインジケートするデータと前記セットのうちの少なくとも１つの通信モードのための干渉波除去能力のインジケーションとを送信するために前記プロセッサによって実行可能な命令と、
を具備する移動局。
［２８］干渉環境中でネットワーク装置が移動局と通信する無線通信の前記移動局中での使用のためのコンピュータ・プログラム製品であって、
インジケートするデータをコンピュータに送信させるためのコードを具備し、前記コードは、前記移動局が動作可能な通信モードのセットと前記セットのうちの少なくとも１つの通信モードのための干渉波除去能力のインジケーションとを送信するための命令を具備する、コンピュータ可読媒体、
を具備するコンピュータ・プログラム製品。
［２９］干渉環境中で少なくとも１つの移動局と通信するための、無線通信システム中での使用のためのネットワーク装置であって、
前記少なくとも１つの移動局のために前記移動局が動作可能な通信モードのセットをインジケートするデータと前記セットのうちの少なくとも１つの通信モードのための干渉波除去能力のインジケーションとを受信するための手段と、
前記受信されたインジケートするデータに応答して前記ネットワーク装置と前記少なくとも１つの移動局との間の接続の間の使用のためのシステム・リソースを割り当てるための手段であって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てるための手段と、
を具備するネットワーク装置。
［３０］前記割り当てるための手段が、前記予測される干渉環境が不利でかつ前記接続の前記通信モードのための前記移動局の前記インジケートされた干渉波除去能力が前記不利な干渉環境に適している場合、前記接続の間の使用のための前記システム・リソースを割り当てるように構成されている、
［２９］のネットワーク装置。
［３１］前記割り当てるための手段が、前記予測される干渉環境が不利でかつ前記接続の前記通信モードのための前記移動局の前記インジケートされた干渉波除去能力が前記不利な干渉環境に適していない場合、前記接続の間の使用のためのシステム・リソースを割り当てないように構成されている、
［３０］のネットワーク装置。
［３２］前記干渉波除去能力のインジケーションが、前記少なくとも１つの通信モードのうちの各モードのための前記干渉波除去能力を協働でインジケートする役目をする情報の複数のビットを具備する、
［２９］乃至［３１］のいずれかのネットワーク装置。
［３３］前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
［２９］乃至［３１］のいずれかのネットワーク装置。
［３４］前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
［２９］乃至［３３］のいずれかのネットワーク装置。
［３５］前記通信モードのセットが、ＧＭＳＫ、ＱＰＳＫ、８ＰＳＫ、１６ＱＡＭ、および３２ＱＡＭの少なくとも１つを具備する、
［２９］乃至［３３］のいずれかのネットワーク装置。
［３６］前記干渉波除去能力が、下りリンク高度受信器性能フェーズ３干渉波除去能力に準拠している、
［２９］乃至［３５］のいずれかのネットワーク装置。
［３７］干渉環境中でネットワーク装置が移動局と通信する無線通信システム中での使用のための前記移動局であって、
前記移動局が動作可能な通信モードのセットをインジケートするデータと前記セットのうちの少なくとも１つの通信モードのための干渉波除去能力のインジケーションとを送信するための手段、
を具備する移動局。
［３８］前記干渉波除去能力のインジケーションが、前記少なくとも１つの通信モードのうちの各モードのための前記干渉波除去能力を協働でインジケートする役目をする情報の複数のビットを具備する、
［３７］の移動局。
［３９］前記干渉波除去能力のインジケーションが情報の複数の個々のビットを具備し、情報の個々のビットの各々は、前記少なくとも１つの通信モードのうちのそれぞれのモードのための干渉波除去能力をインジケートする、
［３７］または［３８］の移動局。
［４０］前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
［３７］乃至［３９］のいずれかの移動局。
［４１］前記通信モードのセットが、ＧＭＳＫ、ＱＰＳＫ、８ＰＳＫ、１６ＱＡＭ、および３２ＱＡＭの少なくとも１つを具備する、
［３７］乃至［３９］のいずれかの移動局。
［４２］前記干渉波除去能力が、下りリンク高度受信器性能フェーズ３干渉波除去能力に準拠している、
［３７］乃至［４１］のいずれかの移動局。
［４３］少なくとも１つの別の通信コンポーネントと通信するように構成されている複数の通信コンポーネントを具備する通信ネットワーク中の通信装置であって、
前記通信装置が動作可能な通信モードのセットを割り出し、少なくとも１つの通信モードのための干渉波除去能力のインジケーションを割り出すように構成されているプロセッサと、
前記通信ネットワーク中の少なくとも１つの別の通信コンポーネントに前記通信モードのセットまたは前記干渉波除去能力の少なくとも１つを通信するように構成されている送信器と、
を具備する装置。
［４４］前記通信モードのセットまたは前記干渉波除去能力の少なくとも１つを表すデータを具備する１または複数の信号を発するように構成された少なくとも１本のアンテナをさらに具備する、
［４３］の通信装置。
［４５］前記干渉波除去能力が、ネットワーク通信内容中の干渉波を除去する前記通信装置の能力を表す、
［４３］の通信装置。
［４６］前記通信装置において観察される実際の干渉波を測定するように構成されている干渉波測定モジュールをさらに具備する、
［４３］の通信装置。
［４７］前記通信装置がモバイル通信装置または静止している通信装置の少なくとも１つである、
［４３］の通信装置。
［４８］前記干渉波除去能力が、前記通信モードのセットについての干渉波許容量をインジケートすることが可能な１超のビットによって表される、
［４３］の通信装置。
［４９］前記通信モードのセットまたは前記干渉波除去能力の少なくとも１つに基づいてネットワーク資源を割り当てるように構成されているリソース割り当て器モジュールをさらに具備する、
［４３］の通信装置。
［５０］前記通信ネットワークは第２通信装置を含んでおり、
前記第２通信は、前記通信モードのセットまたは前記干渉波除去能力の少なくとも１つを前記通信装置から受信するように構成されかつそれに応答して、前記通信装置との通信を変えるべきかを評価するように構成されている、
［４３］の通信装置。
【手続補正２】
【補正対象書類名】特許請求の範囲
【補正対象項目名】全文
【補正方法】変更
【補正の内容】
【特許請求の範囲】
【請求項１】
干渉環境中でネットワーク装置が少なくとも１つの移動局と通信する無線通信システムであって、
前記少なくとも１つの移動局のために前記移動局が動作可能な通信モードのセットをインジケートするデータと前記通信モードのサブセットのための干渉波除去能力のインジケーションとを送信するための送信器と、
前記インジケートするデータを受信するための受信器と、
前記受信器に結合され、かつ前記受信されたインジケートするデータに応答して前記ネットワーク装置と前記少なくとも１つの移動局との間の接続の間の使用のためのシステム・リソースを割り当てるリソース割り当て器であって、前記システム・リソースを割り当てることは、前記接続の前記通信モード、前記接続の前記通信モードのための前記移動局の干渉波除去能力の前記インジケーション、および前記接続の間の予測される干渉環境に依存する、リソース割り当て器と、
を具備する無線通信システム。
【請求項２】
前記リソース割り当て器が、前記予測される干渉環境が不利でかつ前記接続の前記通信モードのための前記移動局の前記インジケートされた干渉波除去能力が前記不利な干渉環境に適している場合、前記接続の間の使用のための前記システム・リソースを割り当てるように構成されている、
請求項１の無線通信システム。
【請求項３】
前記リソース割り当て器が、前記予測される干渉環境が不利でかつ前記接続の前記通信モードのための前記移動局の前記インジケートされた干渉波除去能力が前記不利な干渉環境に適していない場合、前記接続の間の使用のためのシステム・リソースを割り当てないように構成されている、
請求項２の無線通信システム。
【請求項４】
前記干渉波除去能力のインジケーションが、前記通信モードのサブセットのうちの各モードのための前記干渉波除去能力を協働でインジケートする役目をする情報の複数のビットを具備する、
請求項１乃至３のいずれか１項の無線通信システム。
【請求項５】
前記干渉波除去能力のインジケーションが情報の複数の個々のビットを具備し、情報の個々のビットの各々は、前記通信モードのサブセットのうちのそれぞれのモードのための干渉波除去能力をインジケートする、
請求項１乃至３のいずれか１項の無線通信システム。
【請求項６】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項１乃至５のいずれか１項の無線通信システム。
【請求項７】
前記通信モードのセットが、ＧＭＳＫ、ＱＰＳＫ、８ＰＳＫ、１６ＱＡＭ、および３２ＱＡＭの少なくとも１つを具備する、
請求項１乃至５のいずれか１項の無線通信システム。
【請求項８】
前記少なくとも１つの移動局が、前記送信器を具備する、
請求項１乃至７のいずれか１項の無線通信システム。
【請求項９】
前記干渉波除去能力が、下りリンク高度受信器性能フェーズ３干渉波除去能力に準拠している、
請求項１乃至８のいずれか１項の無線通信システム。
【請求項１０】
干渉環境中で少なくとも１つの移動局と通信している、無線通信システム中での使用のためのネットワーク装置であって、
前記少なくとも１つの移動局のために前記移動局が動作可能な通信モードのセットをインジケートするデータと前記通信モードのサブセットのための干渉波除去能力のインジケーションとを受信するための受信器と、
前記受信器に結合され、かつ前記受信されたインジケートするデータに応答して前記ネットワーク装置と前記少なくとも１つの移動局との間の接続の間の使用のためのシステム・リソースを割り当てるリソース割り当て器であって、前記システム・リソースを割り当てることは、前記接続の前記通信モード、前記接続の前記通信モードのための前記移動局の干渉波除去能力の前記インジケーション、および前記接続の間の予測される干渉環境に依存する、リソース割り当て器と、
を具備するネットワーク装置。
【請求項１１】
前記リソース割り当て器が、前記予測される干渉環境が不利でかつ前記接続の前記通信モードのための前記移動局の前記インジケートされた干渉波除去能力が前記不利な干渉環境に適している場合、前記接続の間の使用のための前記システム・リソースを割り当てるように構成されている、
請求項１０のネットワーク装置。
【請求項１２】
前記リソース割り当て器が、前記予測される干渉環境が不利でかつ前記接続の前記通信モードのための前記移動局の前記インジケートされた干渉波除去能力が前記不利な干渉環境に適していない場合、前記接続の間の使用のためのシステム・リソースを割り当てないように構成されている、
請求項１１のネットワーク装置。
【請求項１３】
前記干渉波除去能力のインジケーションが、前記通信モードのサブセットのうちの各モードのための前記干渉波除去能力を協働でインジケートする役目をする情報の複数のビットを具備する、
請求項１０乃至１２のいずれか１項のネットワーク装置。
【請求項１４】
前記干渉波除去能力のインジケーションが情報の複数の個々のビットを具備し、情報の個々のビットの各々は、前記通信モードのサブセットのうちのそれぞれのモードのための干渉波除去能力をインジケートする、
請求項１０乃至１２のいずれか１項のネットワーク装置。
【請求項１５】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項１０乃至１４のいずれか１項のネットワーク装置。
【請求項１６】
前記通信モードのセットが、ＧＭＳＫ、ＱＰＳＫ、８ＰＳＫ、１６ＱＡＭ、および３２ＱＡＭの少なくとも１つを具備する、
請求項１０乃至１４のいずれか１項のネットワーク装置。
【請求項１７】
前記干渉波除去能力が、下りリンク高度受信器性能フェーズ３干渉波除去能力に準拠している、
請求項１０乃至１６のいずれか１項のネットワーク装置。
【請求項１８】
干渉環境中でネットワーク装置が移動局と通信する無線通信システム中での使用のための前記移動局であって、
前記移動局が動作可能な通信モードのセットをインジケートするデータと前記通信モードのサブセットのための干渉波除去能力のインジケーションとを送信するための送信器、
を具備する移動局。
【請求項１９】
前記干渉波除去能力のインジケーションが、前記通信モードのサブセットのうちの各モードのための前記干渉波除去能力を協働でインジケートする役目をする情報の複数のビットを具備する、
請求項１８の移動局。
【請求項２０】
前記干渉波除去能力のインジケーションが情報の複数の個々のビットを具備し、情報の個々のビットの各々は、前記通信モードのサブセットのうちのそれぞれのモードのための干渉波除去能力をインジケートする、
請求項１８または１９の移動局。
【請求項２１】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項１８乃至２０のいずれか１項の移動局。
【請求項２２】
前記通信モードのセットが、ＧＭＳＫ、ＱＰＳＫ、８ＰＳＫ、１６ＱＡＭ、および３２ＱＡＭの少なくとも１つを具備する、
請求項１８乃至２０のいずれか１項の移動局。
【請求項２３】
前記干渉波除去能力が、下りリンク高度受信器性能フェーズ３干渉波除去能力に準拠している、
請求項１８乃至２２のいずれか１項の移動局。
【請求項２４】
干渉環境中でネットワーク装置が少なくとも１つの移動局と通信する無線通信システム中での使用のためのシステム・リソースを割り当てる方法であって、
前記少なくとも１つの移動局のために前記移動局が動作可能な通信モードのセットをインジケートするデータと前記通信モードのサブセットのための干渉波除去能力のインジケーションとを送信することと、
前記インジケートするデータを受信することと、
前記受信されたインジケートするデータに応答して前記ネットワーク装置と前記少なくとも１つの移動局との間の接続の間の使用のためのシステム・リソースを割り当てることであって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てることと、
を具備する方法。
【請求項２５】
干渉環境中でネットワーク装置が少なくとも１つの移動局と通信する無線通信システム中での使用のための前記ネットワーク装置であって、
プロセッサと、
前記プロセッサと電気的に通信しているメモリと、
前記メモリに格納され、
前記少なくとも１つの移動局のために前記移動局が動作可能な通信モードのセットをインジケートするデータと前記通信モードのサブセットのための干渉波除去能力のインジケーションとを受信し、
前記受信されたインジケートするデータに応答して前記ネットワーク装置と前記少なくとも１つの移動局との間の接続の間の使用のためのシステム・リソースを割り当てることであって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てる、
ために前記プロセッサによって実行可能な命令と、
を具備するネットワーク装置。
【請求項２６】
干渉環境中でネットワーク装置が少なくとも１つの移動局と通信する無線通信システムの前記ネットワーク装置中での使用のためのコンピュータ・プログラム製品であって、
コンピュータに、受信されたインジケートするデータに応答して接続の間の使用のためのシステム・リソースを割り当てさせるコードを具備するコンピュータ可読媒体であって、前記コードは、
前記少なくとも１つの移動局のために前記移動局が動作可能な通信モードのセットをインジケートするデータと前記通信モードのサブセットのための干渉波除去能力のインジケーションとを受信し、
前記受信されたインジケートするデータに応答して前記ネットワーク装置と前記少なくとも１つの移動局との間の接続の間の使用のためのシステム・リソースを割り当てることであって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てる、
ための命令を具備するコンピュータ可読媒体、
を具備する、コンピュータ・プログラム製品。
【請求項２７】
干渉環境中でネットワーク装置が移動局と通信する無線通信システム中での使用のための前記移動局であって、
プロセッサと、
前記プロセッサと電気的に通信しているメモリと、
前記メモリに格納され、前記移動局が動作可能な通信モードのセットをインジケートするデータと前記通信モードのサブセットのための干渉波除去能力のインジケーションとを送信するために前記プロセッサによって実行可能な命令と、
を具備する移動局。
【請求項２８】
干渉環境中でネットワーク装置が移動局と通信する無線通信の前記移動局中での使用のためのコンピュータ・プログラム製品であって、
インジケートするデータをコンピュータに送信させるためのコードを具備し、前記コードは、前記移動局が動作可能な通信モードのセットと前記通信モードのサブセットのための干渉波除去能力のインジケーションとを送信するための命令を具備する、コンピュータ可読媒体、
を具備するコンピュータ・プログラム製品。
【請求項２９】
干渉環境中で少なくとも１つの移動局と通信するための、無線通信システム中での使用のためのネットワーク装置であって、
前記少なくとも１つの移動局のために前記移動局が動作可能な通信モードのセットをインジケートするデータと前記通信モードのサブセットのための干渉波除去能力のインジケーションとを受信するための手段と、
前記受信されたインジケートするデータに応答して前記ネットワーク装置と前記少なくとも１つの移動局との間の接続の間の使用のためのシステム・リソースを割り当てるための手段であって、前記システム・リソースを割り当てることは、前記接続の前記通信モード、前記接続の前記通信モードのための前記移動局の干渉波除去能力の前記インジケーション、および前記接続の間の予測される干渉環境に依存する、システム・リソースを割り当てるための手段と、
を具備するネットワーク装置。
【請求項３０】
前記割り当てるための手段が、前記予測される干渉環境が不利でかつ前記接続の前記通信モードのための前記移動局の前記インジケートされた干渉波除去能力が前記不利な干渉環境に適している場合、前記接続の間の使用のための前記システム・リソースを割り当てるように構成されている、
請求項２９のネットワーク装置。
【請求項３１】
前記割り当てるための手段が、前記予測される干渉環境が不利でかつ前記接続の前記通信モードのための前記移動局の前記インジケートされた干渉波除去能力が前記不利な干渉環境に適していない場合、前記接続の間の使用のためのシステム・リソースを割り当てないように構成されている、
請求項３０のネットワーク装置。
【請求項３２】
前記干渉波除去能力のインジケーションが、前記通信モードのサブセットのうちの各モードのための前記干渉波除去能力を協働でインジケートする役目をする情報の複数のビットを具備する、
請求項２９乃至３１のいずれか１項のネットワーク装置。
【請求項３３】
前記干渉波除去能力のインジケーションが情報の複数の個々のビットを具備し、情報の個々のビットの各々は、前記通信モードのサブセットのうちのそれぞれのモードのための干渉波除去能力をインジケートする、
請求項２９乃至３１のいずれか１項のネットワーク装置。
【請求項３４】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項２９乃至３３のいずれか１項のネットワーク装置。
【請求項３５】
前記通信モードのセットが、ＧＭＳＫ、ＱＰＳＫ、８ＰＳＫ、１６ＱＡＭ、および３２ＱＡＭの少なくとも１つを具備する、
請求項２９乃至３３のいずれか１項のネットワーク装置。
【請求項３６】
前記干渉波除去能力が、下りリンク高度受信器性能フェーズ３干渉波除去能力に準拠している、
請求項２９乃至３５のいずれか１項のネットワーク装置。
【請求項３７】
干渉環境中でネットワーク装置が移動局と通信する無線通信システム中での使用のための前記移動局であって、
前記移動局が動作可能な通信モードのセットをインジケートするデータと前記通信モードのサブセットのための干渉波除去能力のインジケーションとを送信するための手段、
を具備する移動局。
【請求項３８】
前記干渉波除去能力のインジケーションが、前記通信モードのサブセットのうちの各モードのための前記干渉波除去能力を協働でインジケートする役目をする情報の複数のビットを具備する、
請求項３７の移動局。
【請求項３９】
前記干渉波除去能力のインジケーションが情報の複数の個々のビットを具備し、情報の個々のビットの各々は、前記通信モードのサブセットのうちのそれぞれのモードのための干渉波除去能力をインジケートする、
請求項３７または３８の移動局。
【請求項４０】
前記通信モードのセットが、ＧＳＭ音声、ＧＰＲＳ、ＥＧＰＲＳ、ＥＧＰＲＳ２−Ａ、およびＥＧＰＲＳ２−Ｂの少なくとも１つを具備する、
請求項３７乃至３９のいずれか１項の移動局。
【請求項４１】
前記通信モードのセットが、ＧＭＳＫ、ＱＰＳＫ、８ＰＳＫ、１６ＱＡＭ、および３２ＱＡＭの少なくとも１つを具備する、
請求項３７乃至３９のいずれか１項の移動局。
【請求項４２】
前記干渉波除去能力が、下りリンク高度受信器性能フェーズ３干渉波除去能力に準拠している、
請求項３７乃至４１のいずれか１項の移動局。
【請求項４３】
少なくとも１つの別の通信コンポーネントと通信するように構成されている複数の通信コンポーネントを具備する通信ネットワーク中の通信装置であって、
前記通信装置が動作可能な通信モードのセットを割り出し、前記通信モードのサブセットのための干渉波除去能力のインジケーションを割り出すように構成されているプロセッサと、
前記通信ネットワーク中の少なくとも１つの別の通信コンポーネントに前記通信モードのセットまたは前記干渉波除去能力の少なくとも１つを通信するように構成されている送信器と、
を具備する装置。
【請求項４４】
前記通信モードのセットまたは前記干渉波除去能力の少なくとも１つを表すデータを具備する１または複数の信号を発するように構成された少なくとも１本のアンテナをさらに具備する、
請求項４３の通信装置。
【請求項４５】
前記干渉波除去能力が、ネットワーク通信内容中の干渉波を除去する前記通信装置の能力を表す、
請求項４３の通信装置。
【請求項４６】
前記通信装置において観察される実際の干渉波を測定するように構成されている干渉波測定モジュールをさらに具備する、
請求項４３の通信装置。
【請求項４７】
前記通信装置がモバイル通信装置または静止している通信装置の少なくとも１つである、
請求項４３の通信装置。
【請求項４８】
前記干渉波除去能力が、前記通信モードのセットについての干渉波許容量をインジケートすることが可能な１超のビットによって表される、
請求項４３の通信装置。
【請求項４９】
前記通信モードのセットまたは前記干渉波除去能力の少なくとも１つに基づいてネットワーク資源を割り当てるように構成されているリソース割り当て器モジュールをさらに具備する、
請求項４３の通信装置。
【請求項５０】
前記通信ネットワークは第２通信装置を含んでおり、
前記第２通信は、前記通信モードのセットまたは前記干渉波除去能力の少なくとも１つを前記通信装置から受信するように構成されかつそれに応答して、前記通信装置との通信を変えるべきかを評価するように構成されている、
請求項４３の通信装置。
【国際調査報告】
2013536662.tif 000009
2013536662.tif 000010
2013536662.tif 000011